(57)【特許請求の範囲】
【請求項１】
不連続な弾性糸(510)を有する弾性ウェブ(100)を製造する方法であって、
a.第1のウェブ(200)を提供するステップであり、前記第1のウェブ(200)が、機械方向(MD)の主延長部、第1の面(201)および第2の面(202)、ならびに第1の縁部(203)および第2の縁部(204)を有し、前記第1の縁部(203)および前記第2の縁部(204)が機械方向(MD)に延びる、ステップと、
b.第2のウェブ(300)を提供するステップであり、前記第2のウェブ(300)がまた、機械方向(MD)の主延長部、第1の面(301)および第2の面(302)、ならびに第1の縁部(303)および第2の縁部(304)を有し、前記第1の縁部(303)および前記第2の縁部(304)が機械方向(MD)に延びる、ステップと、
c.前記第1のウェブ(200)の前記第1の面(201)の少なくとも一部分に第1の接着剤(250)を付着させるステップと、
d.前記第1のウェブ(200)の前記第1の面(201)のうち、少なくとも前記第1の接着剤(250)を含む部分上に、少なくとも1本の弾性糸(500)を付着させるステップであり、前記少なくとも1本の糸(500)がパターン(P)で付着され、前記パターン(P)が交差方向(CD)に振動し、機械方向(MD)に延び、したがって前記パターン(P)が、前記第1のウェブ(200)の前記第1の縁部(203)を覆って延び、前記第1のウェブ(200)の前記第1の縁部(203)から交差方向(CD)に突出する前記弾性糸(500)のループ(501)を形成する、ステップと、
e.前記第1のウェブ(200)の前記第1の縁部(203)に隣接して位置する少なくとも1本の第1の弾性ベルト(401)および少なくとも1本の第2の弾性ベルト(402)を含むループ保持手段(410)内で前記ループ(501)を固定するステップと、
f.前記第1のウェブ(200)の前記第1の面(201)上に前記第2のウェブ(300)の前記第1の面(301)を付着させ、前記少なくとも1本の弾性糸(500)が前記第1のウェブ(200)および前記第2のウェブ(300)それぞれの前記第1の面(201、301)間に部分的に挟まれるように、前記第1のウェブ(200)と前記第2のウェブ(300)をともに固定するステップと、
g.前記ループ(501)が前記第1のウェブ(200)から切り離されるように、前記弾性糸(500)が前記第1のウェブ(200)の前記第1の縁部(203)と交差する実質上各点で前記弾性糸(500)を切断するステップとを含み、
それによって不連続な弾性糸(510)を有する弾性ウェブ(100)を提供する、方法。
【請求項２】
前記方法のステップd.、e.、およびf.が、単一のニップ(400)内で実質上同時に行われる、請求項1に記載の方法。
【請求項３】
前記第2のウェブ(300)の前記第1の縁部(303)が前記第1のウェブ(200)の前記第1の縁部(203)と実質上位置合わせされるように、前記第2のウェブ(300)が前記第1のウェブ(200)に付着される、請求項1または2のいずれか一項に記載の方法。
【請求項４】
パンツタイプの物品(20)を製造する方法であって、
a.請求項1から3のいずれか一項に記載の方法を実施して弾性ウェブ(100)を提供するステップであり、前記弾性ウェブ(100)が、機械方向(MD)に延びる第1の縁部(103)および第2の縁部(104)を有し、前記弾性ウェブ(100)がまた、不連続な弾性糸(510)を有し、前記不連続な弾性糸(510)が、第1のウェブ(200)および第2のウェブ(300)それぞれの前記第1の面(201、301)間に挟まれ、前記弾性ウェブ(100)の前記第1の縁部(103)へ延びる、ステップと、
b.前記弾性ウェブ(100)のそれぞれの第1の縁部(103)が互いに最も近くに位置し、互いに対して実質上平行に位置合わせされるように、そのような第1および第2の弾性ウェブ(100)を互いに隣接して隔置された関係で構成するステップであり、前記第1の弾性ウェブ(100)内のそれぞれの不連続な弾性糸(510)が前記第2の弾性ウェブ(100)内の対応する不連続な弾性糸(510)に対向して位置するように、前記第1および第2の弾性ウェブ(100)が同期される、ステップと、
c.前記第1および/または第2の弾性ウェブ(100)の少なくとも一部分上に重なるように第4のウェブ(900)および/または吸収性パケット(130)を配置し、第1および第2の弾性ウェブ(100)の両方に前記第4のウェブ(900)および/または前記吸収性パケット(130)の少なくとも1つを固定するステップと、
d.一方または両方の弾性ウェブ(100)およびもしあれば前記第4のウェブ(900)の脚部領域(122)を切除するステップであり、各脚部領域(122)が、不連続な弾性糸(510)によって前記弾性ウェブ(100)内で実質上画定される、ステップと、
e.各弾性ウェブ(100)の第2の縁部(104)が互いに実質上隣接し、かつ実質上平行に構成されるように、前記結合させた弾性ウェブ(100)を折り目線(F)に沿って折り畳むステップであり、前記第4のウェブ(900)が前記折り目の外側に位置し、かつ/または前記吸収性パケット(130)が前記折り目の内側に位置する、ステップと、
f.前記第1および第2の弾性ウェブ(100)を互いに線(C)に沿って結合して、サイドシーム(131)を形成するステップであり、前記線(C)が、各弾性ウェブ(100)の前記第2の縁部(104)から前記折り目線(F)へ実質上交差方向(CD)に延び、前記線(C)が、前記少なくとも1本の不連続な弾性糸(510)が各弾性ウェブ(100)の前記第1の縁部(103)から最も遠くに位置する点に実質上位置する、ステップと、
g.第1および第2の弾性ウェブ(100)が切れ目の両側で結合されたままになるように、各弾性ウェブ(100)およびもしあれば前記第4のウェブ(900)を線(C)に沿って切断するステップとを含み、
パンツタイプの物品(20)を提供する、方法。
【請求項５】
吸収性物品(10)を製造する方法であって、
a.請求項1から3のいずれか一項に記載の方法を実施して弾性ウェブ(100)を提供するステップであり、前記弾性ウェブ(100)が、機械方向(MD)に延びる第1の縁部(103)および第2の縁部(104)を有し、前記弾性ウェブ(100)がまた、不連続な弾性糸(510)を有し、不連続な弾性糸(510)が、第1のウェブ(200)および第2のウェブ(300)それぞれの前記第1の面(201、301)間に挟まれ、前記弾性ウェブ(100)の前記第1の縁部(103)へ延びる、ステップと、
b.前記弾性ウェブ(100)のそれぞれの第1の縁部(103)が互いに最も近くに位置し、互いに対して実質上平行に位置合わせされるように、そのような第1および第2の弾性ウェブ(100)を互いに隣接して隔置された関係で構成するステップであり、前記第1の弾性ウェブ(100)内のそれぞれの不連続な弾性糸(510)が前記第2の弾性ウェブ(100)内の対応する不連続な弾性糸(510)に対向して位置するように、前記第1および第2の弾性ウェブ(100)が同期される、ステップと、
c.前記第1および/または第2の弾性ウェブ(100)の少なくとも一部分上に重なるように吸収性パケット(130)を配置するステップと、
d.任意選択で、前記第1および第2の弾性ウェブ(100)の前記第1の縁部(103)上に重なるように第4のウェブ(900)を配置し、第1および第2の弾性ウェブ(100)の両方に前記第4のウェブ(900)および/または前記吸収性パケット(130)の少なくとも1つを固定するステップと、
e.前記第4のウェブ(900)ならびに任意選択で前記第1および/または第2の弾性ウェブ(100)の脚部領域(122)を切除するステップであり、各脚部領域(122)が、不連続な弾性糸(510)によって前記弾性ウェブ(100)内で実質上画定される、ステップと、
f.前記結合させた弾性ウェブ(100)およびもしあれば前記第4のウェブ(900)を線(C)に沿って切断するステップであり、前記線(C)が、一方の弾性ウェブ(100)の前記第2の縁部(104)から他方の弾性ウェブ(100)の前記第2の縁部(104)へ実質上交差方向(CD)に延び、前記線(C)が、前記少なくとも1本の不連続な弾性糸(510)が各弾性ウェブ(100)の前記第1の縁部(103)から最も遠くに位置する点に実質上位置する、ステップと、
g.前記第1および第2の弾性ウェブ(100)の少なくとも1つの上に締付け手段(132)を提供するステップとを含み、
吸収性物品(10)を提供する、方法。
【請求項６】
不連続な弾性糸(510、511)を有する弾性ウェブ(140)を製造する方法であって、
a.第1のウェブ(200)を提供するステップであり、前記第1のウェブ(200)が、機械方向(MD)の主延長部、第1の面(201)および第2の面(202)、ならびに第1の縁部(203)および第2の縁部(204)を有し、前記第1の縁部(203)および前記第2の縁部(204)が機械方向(MD)に延びる、ステップと、
b.第2のウェブ(300)を提供するステップであり、前記第2のウェブ(300)がまた、機械方向(MD)の主延長部、第1の面(301)および第2の面(302)、ならびに第1の縁部(303)および第2の縁部(304)を有し、前記第1の縁部(303)および前記第2の縁部(304)が機械方向(MD)に延びる、ステップと、
c.第3のウェブ(700)を提供するステップであり、前記第3のウェブ(700)が、機械方向(MD)の主延長部、第1の面(701)および第2の面(702)、ならびに第1の縁部(703)および第2の縁部(704)を有し、前記第1の縁部(703)および前記第2の縁部(704)が機械方向(MD)に延びる、ステップと、
d.第1のウェブ(200)および第3のウェブ(700)それぞれの前記第1の縁部(203、703)が隣接するように、前記ウェブ(200、700)の前記第1の面(201、701)が同じ方向を向く隔置された構成で、前記第1のウェブ(200)に隣接して実質上平行に位置するように前記第3のウェブ(700)を構成するステップと、
e.前記第1のウェブ(200)の前記第1の面(201)の少なくとも一部分または前記第2のウェブ(300)の前記第1の面(301)の少なくとも一部分に第1の接着剤(250)を付着させるステップと、
f.前記第3のウェブ(700)の前記第1の面(701)の少なくとも一部分または前記第2のウェブ(300)の前記第1の面(301)の少なくとも一部分に第2の接着剤(260)を付着させるステップと、
g.前記第1のウェブ(200)の前記第1の面(201)または前記第2のウェブ(300)の前記第1の面(301)のうち、少なくとも前記第1の接着剤(250)を含む部分上に、少なくとも1本の第1の弾性糸(500)を付着させるステップであり、前記少なくとも1本の第1の糸(500)が第1のパターン(P1)で付着され、前記第1のパターン(P1)が交差方向(CD)に振動し、機械方向(MD)に延びる、ステップと、
h.前記第3のウェブ(700)の前記第1の面(701)または前記第2のウェブ(300)の前記第1の面(301)のうち、少なくとも前記第2の接着剤(260)を含む部分上に、少なくとも1本の第2の弾性糸(502)を付着させるステップであり、
前記少なくとも1本の第2の弾性糸(502)が第2のパターン(P2)で付着され、前記第2のパターン(P2)が交差方向(CD)に振動し、機械方向(MD)に延びる、ステップと、
i.前記第1のウェブ(200)の前記第1の面(201)上に前記第2のウェブ(300)の前記第1の面(301)の一部分を付着させ、前記少なくとも1本の第1の弾性糸(500)が第1のウェブ(200)および第2のウェブ(300)それぞれの前記第1の面(201、301)間に部分的に挟まれるように、前記第1のウェブ(200)と前記第2のウェブ(300)をともに固定するステップであり、
したがって前記第1のパターン(P1)が、前記第1のウェブ(200)の前記第1の縁部(203)を覆って延び、前記第1のウェブ(200)の前記第1の縁部(203)から交差方向(CD)に突出する前記第1の弾性糸(500)の第1のループ(501)を形成する、ステップと、
j.前記第3のウェブ(700)の前記第1の面(701)上に前記第2のウェブ(300)の前記第1の面(301)の一部分を付着させ、前記少なくとも1本の第2の弾性糸(502)が第2のウェブ(300)および第3のウェブ(700)それぞれの前記第1の面(301、701)間に部分的に挟まれるように、前記第3のウェブ(700)と前記第2のウェブ(300)をともに固定するステップであり、
したがって前記第2のパターン(P2)が、前記第3のウェブ(700)の前記第1の縁部(703)を覆って延び、前記第3のウェブ(700)の前記第1の縁部(703)から交差方向(CD)に突出する前記第2の弾性糸(502)の第2のループ(503)を形成し、
したがって前記第1の弾性糸(500)が前記第1のウェブ(200)の前記第1の縁部(203)から最も遠くに位置する機械方向(MD)の点が、前記第2の弾性糸(502)が前記第3のウェブ(700)の前記第1の縁部(703)から最も遠くに位置する機械方向(MD)の点に実質上対応するように、前記第1のパターン(P1)と前記第2のパターン(P2)が同期される、ステップと、
k.前記第1のウェブ(200)の前記第1の縁部(203)に隣接して位置する少なくとも1本の第1の弾性ベルト(401)および少なくとも1本の第2の弾性ベルト(402)を含む第1のループ保持手段(410)内に前記第1の弾性糸(500)の前記第1のループ(501)を固定するステップと、
l.前記第3のウェブ(700)の前記第1の縁部(703)に隣接して位置する少なくとも1本の第3の弾性ベルト(403)および少なくとも1本の第4の弾性ベルト(404)を含む第2のループ保持手段(411)内に前記第2の弾性糸(502)の前記第2のループ(503)を固定するステップと、
m.前記ループ(501)が前記第1のウェブ(200)から切り離されるように、それぞれの第1の弾性糸(500)が前記第1のウェブ(200)の前記第1の縁部(203)と交差する点で実質上すべての前記第1の弾性糸(500)を切断するステップと、
n.前記ループ(503)が前記第3のウェブ(700)から切り離されるように、それぞれの第2の弾性糸(502)が前記第3のウェブ(700)の前記第1の縁部(703)と交差する点で実質上すべての前記第2の弾性糸(502)を切断するステップとを含み、
ステップi.の前のプロセス内の任意の時点で、ステップd.を行うことができ、
不連続な弾性糸(510、511)を有する弾性ウェブ(140)を提供する、方法。
【請求項７】
前記方法のステップg.〜l.が、単一のニップ(400)内で実質上同時に行われる、請求項6に記載の方法。
【請求項８】
単一の広い弾性ベルトが、前記第3の弾性ベルト(403)および前記第1の弾性ベルト(401)を構成し、単一の広い弾性ベルトが、前記第4の弾性ベルト(404)および前記第2の弾性ベルト(402)を構成する、請求項6に記載の方法。
【請求項９】
パンツタイプの物品(20)を製造する方法であって、
a.請求項6から8のいずれか一項に記載の方法を実施して不連続な弾性糸(510、511)を有する弾性ウェブ(140)を提供するステップであり、少なくとも1本の第1の不連続な弾性糸(510)が、第1のウェブ(200)および第2のウェブ(300)それぞれの前記第1の面(201、301)間に挟まれ、少なくとも1本の第2の不連続な弾性糸(511)が、第3のウェブ(700)および第2のウェブ(300)それぞれの第1の面(701、301)間に挟まれる、ステップと、
b.前記弾性ウェブ(140)のうち、前記第1のウェブ(200)および前記第3のウェブ(700)の不連続な弾性糸(510、511)間に実質上画定された脚部領域(122)を切除して、脚部開口部(121)を形成するステップと、
c.前記弾性ウェブ(140)の第1の縁部(143)と第2の縁部(144)が互いに実質上隣接し、かつ実質上平行に構成されるように、前記弾性ウェブ(140)を折り目線(F)に沿って折り畳むステップと、
d.前記折り畳んだ弾性ウェブ(140)を線(C)に沿って結合して、サイドシーム(131)を形成するステップであり、前記線(C)が、前記弾性ウェブ(140)の前記第1の縁部(143)および前記第2の縁部(144)から前記折り目線(F)へ実質上交差方向(CD)に延び、前記線(C)が、前記不連続な弾性糸(510、511)が前記折り目線(F)から最も遠くに位置する点に実質上位置する、ステップと、
e.前記弾性ウェブ(140)が切れ目の両側で結合されたままになるように、前記弾性ウェブ(140)を線(C)に沿って切断するステップとを含み、
ステップb.およびc.を任意の順序で行うことができ、それによってパンツタイプの物品(20)を提供する、方法。
【請求項１０】
ステップa.の後であるがステップc.の前に、前記第1のウェブ(200)、前記第2のウェブ(300)、および/または前記第3のウェブ(700)の少なくとも一部分上に重なるように吸収性パケット(130)を配置し、前記第1のウェブ(200)、前記第2のウェブ(300)、および/または前記第3のウェブ(700)の少なくとも1つに前記吸収性パケット(130)を固定する追加のステップを含む、請求項9に記載の方法。
【請求項１１】
吸収性物品(10)を製造する方法であって、
a.請求項6から8のいずれか一項に記載の方法を実施して不連続な弾性糸(510、511)を有する弾性ウェブ(140)を提供するステップであり、少なくとも1本の第1の不連続な弾性糸(510)が、第1のウェブ(200)および第2のウェブ(300)それぞれの前記第1の面(201、301)間に挟まれ、少なくとも1本の第2の不連続な弾性糸(511)が、第3のウェブ(700)および第2のウェブ(300)それぞれの前記第1の面(701、301)間に挟まれる、ステップと、
b.前記第1のウェブ(200)、前記第2のウェブ(300)、および/または前記第3のウェブ(700)の少なくとも一部分上に重なるように吸収性パケット(130)を配置し、前記第1のウェブ(200)、前記第2のウェブ(300)、および/または前記第3のウェブ(700)の少なくとも1つに前記吸収性パケット(130)を固定するステップと、
c.前記弾性ウェブ(140)のうち、前記第1のウェブ(200)および前記第3のウェブ(700)の不連続な弾性糸(510、511)間に実質上画定された領域を切除して、脚部開口部(121)を形成するステップと、
d.前記弾性ウェブ(140)上に締付け手段(132)を提供するステップと、
e.前記弾性ウェブ(140)を線(C)に沿って切断するステップであり、前記線(C)が、前記弾性ウェブ(140)の前記第1の縁部(143)から前記第2の縁部(144)へ実質上交差方向(CD)に延び、前記線(C)が、前記不連続な弾性糸(510、511)が前記第1のウェブ(200)および前記第3のウェブ(700)の前記第1の縁部(203、703)から最も遠くに位置する点に実質上位置する、ステップとを含み、
吸収性物品(10)を提供する、方法。
【請求項１２】
請求項1から3のいずれか一項に記載の方法を実施する装置(600)であって、
-  前記第1のウェブ(200)を供給する第1のウェブ供給手段(601)と、
-  前記第2のウェブ(300)を供給する第2のウェブ供給手段(602)と、
-  前記少なくとも1本の弾性糸(500)を供給する弾性糸供給手段(603)と、
-  前記第1の接着剤(250)を供給する接着剤供給手段(604)と、
-  前記少なくとも1本の弾性糸(500)を切断する弾性体切断手段(605)とを備え、
-  前記接着剤供給手段(604)が、前記第1のウェブ(200)の前記第1の面(201)の少なくとも一部分に第1の接着剤(250)を付着させるように構成され、
-  前記弾性糸供給手段(603)が、前記第1のウェブ(200)の前記第1の面(201)のうち、少なくとも前記第1の接着剤(250)を含む部分上に、少なくとも1本の弾性糸(500)を付着させるように構成され、前記少なくとも1本の糸(500)がパターン(P)で付着され、前記パターン(P)が交差方向(CD)に振動し、機械方向(MD)に延び、したがって前記パターン(P)が、前記第1のウェブ(200)の前記第1の縁部(203)を覆って延び、前記第1のウェブ(200)の前記第1の縁部(203)から交差方向(CD)に突出する前記弾性糸(500)のループ(501)を形成し、
-  前記第2のウェブ供給手段(602)が、前記第1のウェブ(200)の前記第1の面(201)上に前記第2のウェブ(300)の前記第1の面(301)を付着させ、前記少なくとも1本の弾性糸(500)が第1のウェブ(200)および第2のウェブ(300)それぞれの前記第1の面(201、301)間に部分的に挟まれるように、前記第1のウェブ(200)と前記第2のウェブ(300)をともに固定するように構成され、
-  前記弾性体切断手段(605)が、前記ループ(501)が前記第1のウェブ(200)から切り離されるように、各弾性糸(500)が前記第1のウェブ(200)の前記第1の縁部(203)と交差する点で実質上すべての前記弾性糸(500)を切断するように構成される、装置において、
前記装置(600)が、前記第1のウェブ(200)の前記第1の縁部(203)に隣接して位置する少なくとも1本の第1の弾性ベルト(401)および少なくとも1本の第2の弾性ベルト(402)を含むループ保持手段(410)であり、前記少なくとも1本の第1の弾性ベルト(401)および前記少なくとも1本の第2の弾性ベルト(402)が、前記ループ保持手段(410)内の前記少なくとも1本の第1の弾性ベルト(401)と前記少なくとも1本の第2の弾性ベルト(402)の間のニップ(400)内で前記ループ(501)を固定するように適合されたループ保持手段(410)をさらに備える
ことを特徴とする装置(600)。
【請求項１３】
前記第1のウェブ(200)と前記第2のウェブ(300)が、単一のニップ(400)内でともに固定される、請求項12に記載の装置(600)。
【請求項１４】
-  第1のウェブ供給手段(601)と、
-  第2のウェブ供給手段(602)と、
-  少なくとも1本の弾性糸(500)を供給する弾性糸供給手段(603)と、
-  接着剤供給手段(604)と、
-  切断手段(605)と、
-  ループ保持手段(410)と
が単一の中心回転胴(620)の周辺に構成される、
請求項12または13のいずれか一項に記載の装置(600)。
【請求項１５】
請求項4の前記方法を実施する、請求項12から14のいずれか一項に記載の装置(600)であって、
-  第1および第2の弾性ウェブ(100)を供給する弾性ウェブ供給手段(606)と、
-  第4のウェブ(900)を供給する第4のウェブ供給手段(616)および/または吸収性パケット(130)を供給する吸収性パケット供給手段(618)と、
-  脚部領域(122)を切除する脚部領域切断手段(608)と、
-  前記結合させた弾性ウェブ(100)を折り畳む折畳み手段(617)と、
-  前記第1および第2の弾性ウェブ(100)を結合する結合手段(614)と、
-  弾性ウェブ(100)およびもしあれば前記第4のウェブ(900)を切断する弾性ウェブ切断手段(609)とをさらに備え、
a.前記弾性ウェブ供給手段(606)が、前記弾性ウェブ(100)のそれぞれの前記第1の縁部(103)が互いに最も近くに位置し、互いに対して実質上平行に位置合わせされるように、第1および第2の弾性ウェブ(100)を互いに隣接して隔置された関係で提供するように構成され、前記第1の弾性ウェブ(100)内のそれぞれの不連続な弾性糸(510)が前記第2の弾性ウェブ(100)内の対応する不連続な弾性糸(510)に対向して位置するように、前記第1および第2の弾性ウェブ(100)が同期され、
b.第4のウェブ(900)を供給する前記第4のウェブ供給手段(616)が、前記第1および第2の弾性ウェブ(100)の前記第1の縁部(103)上に重なるように第4のウェブ(900)を配置するように、そして第1および第2の弾性ウェブ(100)の両方に前記第4のウェブ(900)を固定するように構成され、
c.前記吸収性パケット供給手段(618)が、前記第1または第2の弾性ウェブ(100)の少なくとも一部分上に重なるように吸収性パケット(130)を配置するように、そして前記第1および第2の弾性ウェブ(100)の少なくとも1つに前記吸収性パケット(130)を固定するように構成され、
d.前記脚部領域切断手段(608)が、一方または両方の弾性ウェブ(100)およびもしあれば前記第4のウェブ(900)の脚部領域(122)を切除して、脚部開口部(111)を形成するように構成され、各脚部領域(122)が、不連続な弾性糸(510)によって実質上画定され、
e.前記折畳み手段(617)が、各弾性ウェブ(100)の第2の縁部(104)が互いに実質上隣接し、かつ実質上平行に構成され、前記第4のウェブ(900)が前記折り目の外側に位置し、かつ/または前記吸収性パケット(130)が前記折り目の内側に位置するように、前記結合させた弾性ウェブ(100)を折り目線(F)に沿って折り畳むように構成され、
f.前記結合手段(614)が、前記第1および第2の弾性ウェブ(100)を互いに線(C)に沿って結合して、サイドシーム(131)を形成するように構成され、前記線(C)が、各弾性ウェブ(100)の前記第2の縁部(104)から前記折り目線(F)へ実質上交差方向(CD)に延び、前記線(C)が、前記少なくとも1本の不連続な弾性糸(510)が各弾性ウェブ(100)の前記第1の縁部(103)から最も遠くに位置する点に実質上位置し、
g.前記弾性ウェブ切断手段(609)が、第1および第2の弾性ウェブ(100)が切れ目の両側で結合されたままになるように、各弾性ウェブ(100)およびもしあれば前記第4のウェブ(900)を線(C)に沿って切断するように構成される、装置(600)。
【請求項１６】
請求項5の前記方法を実施する、請求項12から14のいずれか一項に記載の装置(600)であって、
-  第1および第2の弾性ウェブ(100)を供給する弾性ウェブ供給手段(606)と、
-  吸収性パケット(130)を供給する吸収性パケット供給手段(618)と、
-  任意選択で、第4のウェブ(900)を供給する第4のウェブ供給手段(616)と、
-  脚部領域(122)を切除する脚部領域切断手段(608)と、
-  弾性ウェブ(100)およびもしあれば前記第4のウェブ(900)を切断する弾性ウェブ切断手段(609)と、
-  締付け手段(132)を供給する締付け供給手段(615)とをさらに備え、
a.前記弾性ウェブ供給手段(606)が、前記弾性ウェブ(100)のそれぞれの前記第1の縁部(103)が互いに最も近くに位置し、互いに対して実質上平行に位置合わせされるように、第1および第2の弾性ウェブ(100)を互いに隣接して隔置された関係で提供するように構成され、前記第1の弾性ウェブ(100)内のそれぞれの不連続な弾性糸(510)が前記第2の弾性ウェブ(100)内の対応する不連続な弾性糸(510)に対向して位置するように、前記第1および第2の弾性ウェブ(100)が同期され、
b.前記吸収性パケット供給手段(618)が、前記第1または第2の弾性ウェブ(100)の少なくとも一部分上に重なるように吸収性パケット(130)を配置するように構成され、
c.第4のウェブ(900)を供給する前記第4のウェブ供給手段(616)が、前記第1および第2の弾性ウェブ(100)の前記第1の縁部(103)上に重なるように第4のウェブ(900)を配置するように、そして第1および第2の弾性ウェブ(100)の両方に前記第4のウェブ(900)および/または前記吸収性パケット(130)の少なくとも1つを固定するように構成され、
d.前記脚部領域切断手段(608)が、一方または両方の弾性ウェブ(100)およびもしあれば前記第4のウェブ(900)の脚部領域(122)を切除して、脚部開口部(111)を形成するように構成され、各脚部領域(122)が、不連続な弾性糸(510)によって実質上画定され、
e.前記弾性ウェブ切断手段(609)が、前記結合させた弾性ウェブ(100)およびもしあれば前記第4のウェブ(900)を線(C)に沿って切断するように構成され、前記線(C)が、一方の弾性ウェブ(100)の前記第2の縁部(104)から他方の弾性ウェブ(100)の前記第2の縁部(104)へ実質上交差方向(CD)に延び、前記線(C)が、前記少なくとも1本の不連続な弾性糸(510)が各弾性ウェブ(100)の前記第1の縁部(103)から最も遠くに位置する点に実質上位置し、
f.前記締付け供給手段(615)が、前記第1および第2の弾性ウェブ(100)の少なくとも1つの上に締付け手段(132)を提供するように構成される、装置(600)。
【請求項１７】
請求項６から８のいずれか一項に記載の方法を実施する装置(600)であって、
-  前記第1のウェブ(200)を供給する第1のウェブ供給手段(601)と、
-  前記第2のウェブ(300)を供給する第2のウェブ供給手段(602)と、
-  前記第3のウェブ(700)を供給する第3のウェブ供給手段(607)と、
-  前記少なくとも1本の第1の弾性糸(500)を供給する第1の弾性糸供給手段(610)と、
-  前記少なくとも1本の第2の弾性糸(502)を供給する第2の弾性糸供給手段(611)と、
-  前記第1の接着剤(250)を供給する第1の接着剤供給手段(612)と、
-  前記第2の接着剤(260)を供給する第2の接着剤供給手段(613)と、
-  前記第1の弾性糸(500)および前記第2の弾性糸(502)を切断する切断手段(605、605’)とを備え、
-  前記第1の接着剤供給手段(612)が、前記第1のウェブ(200)の前記第1の面(201)の少なくとも一部分または前記第2のウェブ(300)の前記第1の面(301)の少なくとも一部分に第1の接着剤(250)を付着させるように構成され、
-  前記第1の弾性糸供給手段(610)が、前記第1のウェブ(200)の前記第1の面(201)または前記第2のウェブ(300)の前記第1の面(301)のうち、少なくとも前記第1の接着剤(250)を含む部分上に、少なくとも1本の第1の弾性糸(500)を付着させるように構成され、前記少なくとも1本の第1の弾性糸(500)が第1のパターン(P1)で付着され、前記第1のパターン(P1)が交差方向(CD)に振動し、機械方向(MD)に延び、
-  前記第2の接着剤供給手段(613)が、前記第3のウェブ(700)の前記第1の面(701)の少なくとも一部分または前記第2のウェブ(300)の前記第1の面(301)の少なくとも一部分に第2の接着剤(260)を付着させるように構成され、
-  前記第2の弾性糸供給手段(611)が、前記第3のウェブ(700)の前記第1の面(701)または前記第2のウェブ(300)の前記第1の面(301)のうち、少なくとも前記第2の接着剤(260)を含む部分上に、少なくとも1本の第2の弾性糸(502)を付着させるように構成され、前記少なくとも1本の第2の弾性糸(502)が第2のパターン(P2)で付着され、前記第2のパターン(P2)が交差方向(CD)に振動し、機械方向(MD)に延び、
-  前記第2のウェブ供給手段(602)が、前記第1のウェブ(200)の前記第1の面(201)および前記第3のウェブ(700)の前記第1の面(701)上に前記第2のウェブ(300)の前記第1の面(301)を付着させ、前記少なくとも1本の第1の弾性糸(500)が第1のウェブ(200)および第2のウェブ(300)それぞれの前記第1の面(201、301)間に部分的に挟まれ、前記少なくとも1本の第2の弾性糸(502)が第3のウェブ(700)および第2のウェブ(300)それぞれの前記第1の面(701、301)間に部分的に挟まれるように、前記第1のウェブ(200)と前記第2のウェブ(300)をともに固定し、前記第3のウェブ(700)と前記第2のウェブ(300)をともに固定するように構成され、
したがって前記第1のパターン(P1)が、前記第1のウェブ(200)の前記第1の縁部(203)を覆って延び、前記第1のウェブ(200)の前記第1の縁部(203)から交差方向(CD)に突出する前記第1の弾性糸(500)の第1のループ(501)を形成し、
したがって前記第2のパターン(P2)が、前記第3のウェブ(700)の前記第1の縁部(703)を覆って延び、前記第3のウェブ(700)の前記第1の縁部(703)から交差方向(CD)に突出する前記第2の弾性糸(502)の第2のループ(503)を形成し、
したがって前記第1の弾性糸(500)が前記第1のウェブ(200)の前記第1の縁部(203)から最も遠くに位置する機械方向(MD)の点が、前記第2の弾性糸(502)が前記第3のウェブ(700)の前記第1の縁部(703)から最も遠くに位置する機械方向(MD)の点に実質上対応するように、前記第1のパターン(P1)と前記第2のパターン(P2)が同期され、
-  前記切断手段(605、605’)が、前記第1のループ(501)が前記第1のウェブ(200)から切り離されるように、それぞれの第1の弾性糸(500)が前記第1のウェブ(200)の前記第1の縁部(203)と交差する点で、また前記第2のループ(503)が前記第3のウェブ(700)から切り離されるように、それぞれの第2の弾性糸(502)が前記第3のウェブ(700)の前記第1の縁部(701)と交差する点で、実質上すべての前記弾性糸(500、502)を切断するように構成される、装置(600)において、
前記装置(600)が、前記第1のウェブ(200)の前記第1の縁部(203)に隣接して位置する少なくとも1本の第1の弾性ベルト(401)および少なくとも1本の第2の弾性ベルト(402)を含む第1のループ保持手段(410)であり、前記少なくとも1本の第1の弾性ベルト(401)および前記少なくとも1本の第2の弾性ベルト(402)が、前記少なくとも1本の第1の弾性ベルト(401)と前記少なくとも1本の第2の弾性ベルト(402)の間のニップ(400)内で前記第1の弾性糸(500)の前記第1のループ(501)を固定するように適合された第1のループ保持手段(410)と、
前記第3のウェブ(700)の前記第1の縁部(703)に隣接して位置する少なくとも1本の第3の弾性ベルト(403)および少なくとも1本の第4の弾性ベルト(404)を含む第2のループ保持手段(411)であり、前記少なくとも1本の第3の弾性ベルト(403)および前記少なくとも1本の第4の弾性ベルト(404)が、前記少なくとも1本の第3の弾性ベルト(403)と前記少なくとも1本の第4の弾性ベルト(404)の間のニップ(400’)内で前記第2の弾性糸(502)の前記第2のループ(503)を固定するように適合された第2のループ保持手段(411)とを備える
ことを特徴とする装置(600)。
【請求項１８】
前記第1のウェブ(200)、前記第2のウェブ(300)、および前記第3のウェブ(700)が、単一のニップ(400、400’)内でともに固定される、請求項17に記載の装置(600)。
【請求項１９】
単一の広い弾性ベルトが、前記第3の弾性ベルト(403)および前記第1の弾性ベルト(401)を構成し、単一の広い弾性ベルトが、前記第4の弾性ベルト(404)および前記第2の弾性ベルト(402)を構成する、請求項17または18に記載の装置(600)。
【請求項２０】
-  前記第1のウェブ(200)を供給する第1のウェブ供給手段(601)と、
-  前記第2のウェブ(300)を供給する第2のウェブ供給手段(602)と、
-  前記第3のウェブ(700)を供給する第3のウェブ供給手段(607)と、
-  前記少なくとも1本の第1の弾性糸(500)を供給する第1の弾性糸供給手段(610)と、
-  前記少なくとも1本の第2の弾性糸(502)を供給する第2の弾性糸供給手段(611)と、
-  前記第1の接着剤(250)を供給する第1の接着剤供給手段(612)と、
-  前記第2の接着剤(260)を供給する第2の接着剤供給手段(613)と、
-  前記第1の弾性糸(500)および前記第2の弾性糸(502)を切断する切断手段(605、605’)と、
-  第1のループ保持手段(410)および第2のループ保持手段(411)と
が単一の中心回転胴(620)の周辺に構成される、
請求項17から19のいずれか一項に記載の装置(600)。
【請求項２１】
請求項9または10の前記方法を実施する、請求項17から20のいずれか一項に記載の装置(600)であって、
-  前記弾性ウェブ(140)を供給する弾性ウェブ供給手段(621)と、
-  任意選択で、吸収性パケット(130)を供給する吸収性パケット供給手段(622)と、
-  脚部領域(122)を切除する脚部領域切断手段(623)と、
-  前記弾性ウェブ(140)を折り畳む折畳み手段(628)と、
-  前記弾性ウェブ(140)を結合する結合手段(626)と、
-  弾性ウェブ(140)を切断する弾性ウェブ切断手段(625)とをさらに備え、
a.前記弾性ウェブ供給手段(621)が、不連続な弾性糸(510、511)を有する弾性ウェブ(140)を提供するように構成され、少なくとも1本の第1の不連続な弾性糸(510)が、第1のウェブ(200)および第2のウェブ(300)それぞれの前記第1の面(201、301)間に挟まれ、少なくとも1本の第2の不連続な弾性糸(511)が、第3のウェブ(700)および第2のウェブ(300)それぞれの前記第1の面(701、301)間に挟まれ、
b.前記吸収性パケット供給手段(622)が、前記第1のウェブ(200)、前記第2のウェブ(300)、および/または前記第3のウェブ(700)の少なくとも一部分上に重なるように吸収性パケット(130)を配置するように、そして前記第1のウェブ(200)、前記第2のウェブ(300)、および前記第3のウェブ(700)の少なくとも1つに前記吸収性パケット(130)を固定するように構成され、
c.前記脚部領域切断手段(623)が、前記弾性ウェブ(140)のうち、前記第1のウェブ(200)および前記第3のウェブ(700)の不連続な弾性糸(510、511)間に実質上画定された領域を切除して、脚部開口部(121)を形成するように構成され、
d.前記折畳み手段(628)が、前記弾性ウェブ(140)の第1の縁部(143)と第2の縁部(144)が互いに実質上隣接し、かつ実質上平行に構成されるように、前記弾性ウェブ(140)を折り目線(F)に沿って折り畳むように構成され、
e.前記結合手段(626)が、前記折り畳んだ弾性ウェブ(140)を線(C)に沿って結合して、サイドシーム(131)を形成するように構成され、前記線(C)が、前記弾性ウェブ(140)の前記第1の縁部(143)および前記第2の縁部(144)から前記折り目線(F)へ実質上交差方向(CD)に延び、前記線(C)が、前記不連続な弾性糸(510、511)が前記折り目線(F)から最も遠くに位置する点に実質上位置し、
f.前記弾性ウェブ切断手段(625)が、前記弾性ウェブ(140)が切れ目の両側で結合されたままになるように、前記弾性ウェブ(140)を線(C)に沿って切断するように構成される、装置(600)。
【請求項２２】
請求項11の前記方法を実施する、請求項17から20のいずれか一項に記載の装置(600)であって、
-  前記弾性ウェブ(140)を供給する弾性ウェブ供給手段(621)と、
-  吸収性パケット(130)を供給する吸収性パケット供給手段(622)と、
-  脚部領域(624)を切除する脚部領域切断手段(623)と、
-  弾性ウェブ(140)を切断する弾性ウェブ切断手段(625)と、
-  締付け手段(132)を供給する締付け供給手段(627)とをさらに備え、
a.前記弾性ウェブ供給手段(621)が、不連続な弾性糸(510、511)を有する弾性ウェブ(140)を提供するように構成され、少なくとも1本の第1の不連続な弾性糸(510)が、第1のウェブ(200)および第2のウェブ(300)それぞれの前記第1の面(201、301)間に挟まれ、少なくとも1本の第2の不連続な弾性糸(511)が、第3のウェブ(700)および第2のウェブ(300)それぞれの前記第1の面(701、301)間に挟まれ、
b.前記吸収性パケット供給手段(622)が、前記第1のウェブ(200)、前記第2のウェブ(300)、および/または前記第3のウェブ(700)の少なくとも一部分上に重なるように吸収性パケット(130))を配置するように、そして前記第1のウェブ(200)、前記第2のウェブ(300)、および前記第3のウェブ(700)の少なくとも1つに前記吸収性パケット(130)を固定するように構成され、
c.前記脚部領域切断手段(623)が、前記弾性ウェブ(140)のうち、前記第1のウェブ(200)および前記第3のウェブ(700)の不連続な弾性糸(510、511)間に実質上画定された領域を切除して、脚部開口部(121)を形成するように構成され、
d.前記締付け供給手段(627)が、前記弾性ウェブ(140)上に締付け手段(132)を提供するように構成され、
e.前記弾性ウェブ切断手段(625)が、前記弾性ウェブ(140)を線(C)に沿って切断するように構成され、前記線(C)が、前記弾性ウェブ(140)の前記第1の縁部(143)から前記第2の縁部(144)へ実質上交差方向(CD)に延び、前記線(C)が、前記不連続な弾性糸(510、511)が前記第1のウェブ(200)および前記第3のウェブ(700)の前記第1の縁部(203、703)から最も遠くに位置する点に実質上位置する、装置(600)。
【発明の詳細な説明】
【技術分野】
【０００１】
本発明は、弾性ウェブを製造する方法に関する。本発明はさらに、前記弾性ウェブを形成する装置に関する。本発明はまた、吸収性物品を製造する方法に関する。本発明はまた、本発明の方法を使用して製造できる弾性ウェブおよび吸収性物品に関する。
【背景技術】
【０００２】
おむつまたは失禁ガードなどの吸収性物品は、身体に隣接して着用される物品であり、尿、血液、糞便、および汗などの身体滲出物を封じ込めて吸収するために使用される。そのような物品には通常、弾性部材(一般には、1本または複数の弾性糸の形)が供給される。製造効率および経済性のため、弾性部材は、脚部開口部、ウエスト開口部、立体ギャザーなど、物品の選択された領域内に位置する。弾性部材には複数の機能があり、特に、物品を着用者上で定位置に維持するのを助け、物品に適切な3次元の形を提供し、物品の一部分を着用者の皮膚に封止するのを助け、したがって漏れのリスクを低減させる。
【０００３】
吸収性物品は、大量に高速で製造される。したがって、製造中に弾性部材(たとえば、1本または複数の弾性糸の形)を吸収性物品の他の構成要素の中または上へ組み込むことができる方法が必要とされる。弾性部材は通常、吸収性物品の一領域にのみ位置するが、連続して(たとえば、ロール状で)供給されることが多く、したがって通常、弾性部材を切断する1つまたは複数のステップが必要とされる。これにより、弾性部材内で正しい張力を維持するのが困難になり、弾性の構成要素がもみくちゃになったり、縮んだり、またはしわになったりすることがある。
【０００４】
吸収性物品の股部分、すなわち物品が着用されたときに着用者の脚部間に位置する部分に位置する弾性部材には、特定の問題が見られる。通常、弾性部材が股部分内に位置すると、この敏感な領域内で擦り傷/こすれを引き起こす可能性があるため、望ましくない。さらに、弾性部材が吸収性の芯全体に構成されると、芯を変形させる可能性がある。これによって、外観(塊になるため)および液体の取扱い(吸収性の芯の望ましくない圧縮が液体の流路に折り目をつけるため)の点で、問題を引き起こす。
【０００５】
米国特許第5,660,657号および第5,643,396号は、伸縮性の弾性体を含む衣服を構築する方法を開示する。米国特許第4,379,016号は、弾性体片を細かく切って材料のウェブ上に付着させる方法およびデバイスを記載する。米国特許第6,179,946号は、複合シートを作製するプロセスを記載する。米国特許第6,482,278号および米国特許第6,521,320号は、パンツタイプのおむつおよびその製造方法を開示する。
【先行技術文献】
【特許文献】
【０００６】
【特許文献１】米国特許第5,660,657号明細書
【特許文献２】米国特許第5,643,396号明細書
【特許文献３】米国特許第4,379,016号明細書
【特許文献４】米国特許第6,179,946号明細書
【特許文献５】米国特許第6,482,278号明細書
【特許文献６】米国特許第6,521,320号明細書
【発明の概要】
【発明が解決しようとする課題】
【０００７】
本発明は、従来技術に関連する欠点に対処することを目的とする。具体的には、本発明は、弾性糸の張力を容易に制御でき、弾性糸の切断を精密に制御でき、材料の損失を最小にする、不連続な弾性糸を有する弾性ウェブを提供する方法を提供することを目的とする。このプロセスは、いかなる弾性のない材料も除去または追加する必要なく行われるべきである。さらに、特に処分段階で廃棄物材料の末路を制御できると有利である。この方法は、知られているまたは市販の機械上で、前記機械を実質的に変化させることなく実施できることが望ましい。本発明の上記の利点およびさらなる利点は、以下の説明および特許請求の範囲から明らかになるであろう。
【課題を解決するための手段】
【０００８】
本発明は、不連続な弾性糸510を有する弾性ウェブ100を製造する方法に関する。この方法は、
a.第1のウェブ200を提供するステップであり、前記第1のウェブ200が、機械方向MDの主延長部、第1の面201および第2の面202、ならびに第1の縁部203および第2の縁部204を有し、前記第1の縁部203および前記第2の縁部204が機械方向MDに延びる、ステップと、
b.第2のウェブ300を提供するステップであり、前記第2のウェブ300がまた、機械方向MDの主延長部、第1の面301および第2の面302、ならびに第1の縁部303および第2の縁部304を有し、前記第1の縁部303および前記第2の縁部304が機械方向MDに延びる、ステップと、
c.前記第1のウェブ200の第1の面201の少なくとも一部分に第1の接着剤250を付着させるステップと、
d.前記第1のウェブ200の前記第1の面201のうち、少なくとも前記第1の接着剤250を含む部分上に、少なくとも1本の弾性糸500を付着させるステップであり、前記少なくとも1本の糸500がパターンPで付着され、前記パターンPが交差方向CDに振動し、機械方向MDに延び、したがってパターンPが、第1のウェブ200の第1の縁部203を覆って延び、前記第1のウェブ200の前記第1の縁部203から交差方向CDに突出する前記弾性糸500のループ501を形成する、ステップと、
e.前記第1のウェブ200の第1の縁部203に隣接して位置するループ保持手段410内でループ501を固定するステップと、
f.前記第1のウェブ200の第1の面201上に前記第2のウェブ300の第1の面301を付着させ、前記少なくとも1本の弾性糸500が前記第1のウェブ200および前記第2のウェブ300それぞれの第1の面201、301間に部分的に挟まれるように、前記第1のウェブ200と前記第2のウェブ300をともに固定するステップと、
g.ループ501が第1のウェブ200から切り離されるように、弾性糸500が前記第1のウェブ200の第1の縁部203と交差する実質上各点で弾性糸500を切断するステップとを含み、
それによって不連続な弾性糸510を有する弾性ウェブ100を提供する。
【０００９】
方法のステップd.、e.、およびf.は、単一のニップ400内で実質上同時に行うことができる。ループ保持手段410は、前記第1のウェブ200の第1の縁部203に隣接して位置する少なくとも1本の第1の弾性ベルト401および少なくとも1本の第2の弾性ベルト402を含むことが好ましい。第2のウェブ300は、第2のウェブ300の第1の縁部303が第1のウェブ200の第1の縁部203と実質上位置合わせされるように、第1のウェブ200に付着されると適切である。
【００１０】
弾性ウェブ100からパンツタイプの物品20を製造する方法も提供される。この方法は、
a.上記の方法を実施して弾性ウェブ100を提供するステップであり、前記弾性ウェブ100が、機械方向MDに延びる第1の縁部103および第2の縁部104を有し、前記弾性ウェブ100がまた、不連続な弾性糸510を有し、前記不連続な弾性糸510が、第1のウェブ200および第2のウェブ300それぞれの第1の面201、301間に挟まれ、前記弾性ウェブ100の第1の縁部103へ延びる、ステップと、
b.前記弾性ウェブ100のそれぞれの第1の縁部103が互いに最も近くに位置し、互いに対して実質上平行に位置合わせされるように、そのような第1および第2の弾性ウェブ100を互いに隣接して隔置された関係で構成するステップであり、第1の弾性ウェブ100内のそれぞれの不連続な弾性糸510が第2の弾性ウェブ100内の対応する不連続な弾性糸510に対向して位置するように、前記第1および第2の弾性ウェブ100が同期される、ステップと、
c.第1および/または第2の弾性ウェブ100の少なくとも一部分上に重なるように第4のウェブ900および/または吸収性パケット130を配置し、第1および第2の弾性ウェブ100の両方に前記第4のウェブ900および/または前記吸収性パケット130の少なくとも1つを固定するステップと、
d.一方または両方の弾性ウェブ100およびもしあれば前記第4のウェブ900の脚部領域122を切除するステップであり、各脚部領域122が、不連続な弾性糸510によって前記弾性ウェブ100内で実質上画定される、ステップと、
e.各弾性ウェブ100の第2の縁部104が互いに実質上隣接し、かつ実質上平行に構成されるように、結合させた弾性ウェブ100を折り目線Fに沿って折り畳むステップであり、第4のウェブ900が折り目の外側に位置し、かつ/または吸収性パケット130が折り目の内側に位置する、ステップと、
f.第1および第2の弾性ウェブ100を互いに線Cに沿って結合して、サイドシーム131を形成するステップであり、前記線Cが、各弾性ウェブ100の第2の縁部104から折り目線Fへ実質上交差方向CDに延び、前記線Cが、少なくとも1本の不連続な弾性糸510が各弾性ウェブ100の第1の縁部103から最も遠くに位置する点に実質上位置する、ステップと、
g.第1および第2の弾性ウェブ100が切れ目の両側で結合されたままになるように、各弾性ウェブ100およびもしあれば第4のウェブ900を線Cに沿って切断するステップとを含み、
パンツタイプの物品20を提供する。
【００１１】
弾性ウェブ100から吸収性物品10を製造する方法も提供される。この方法は、
a.上記の方法を実施して弾性ウェブ100を提供するステップであり、前記弾性ウェブ100が、機械方向MDに延びる第1の縁部103および第2の縁部104を有し、前記弾性ウェブ100がまた、不連続な弾性糸510を有し、不連続な弾性糸510が、第1のウェブ200および第2のウェブ300それぞれの第1の面201、301間に挟まれ、前記弾性ウェブ100の第1の縁部103へ延びる、ステップと、
b.前記弾性ウェブ100のそれぞれの第1の縁部103が互いに最も近くに位置し、互いに対して実質上平行に位置合わせされるように、そのような第1および第2の弾性ウェブ100を互いに隣接して隔置された関係で構成するステップであり、第1の弾性ウェブ100内のそれぞれの不連続な弾性糸510が第2の弾性ウェブ100内の対応する不連続な弾性糸510に対向して位置するように、前記第1および第2の弾性ウェブ100が同期される、ステップと、
c.第1および/または第2の弾性ウェブ100の少なくとも一部分上に重なるように吸収性パケット130を配置するステップと、
d.任意選択で、第1および第2の弾性ウェブ100の第1の縁部103上に重なるように第4のウェブ900を配置し、第1および第2の弾性ウェブ100の両方に前記第4のウェブ900および/または前記吸収性パケット130の少なくとも1つを固定するステップと、
e.前記第4のウェブ900ならびに任意選択で前記第1および/または第2の弾性ウェブ100の脚部領域122を切除するステップであり、各脚部領域122が、不連続な弾性糸510によって前記弾性ウェブ100内で実質上画定される、ステップと、
f.結合させた弾性ウェブ100およびもしあれば第4のウェブ900を線Cに沿って切断するステップであり、前記線Cが、一方の弾性ウェブ100の第2の縁部104から他方の弾性ウェブ100の第2の縁部104へ実質上交差方向CDに延び、前記線Cが、少なくとも1本の不連続な弾性糸510が各弾性ウェブ100の第1の縁部103から最も遠くに位置する点に実質上位置する、ステップと、
g.前記第1および第2の弾性ウェブ100の少なくとも1つの上に締付け手段132を提供するステップとを含み、
吸収性物品10を提供する。
【００１２】
本発明はまた、不連続な弾性糸510、511を有する弾性ウェブ140を製造する方法を提供する。この方法は、
a.第1のウェブ200を提供するステップであり、前記第1のウェブ200が、機械方向MDの主延長部、第1の面201および第2の面202、ならびに第1の縁部203および第2の縁部204を有し、前記第1の縁部203および前記第2の縁部204が機械方向MDに延びる、ステップと、
b.第2のウェブ300を提供するステップであり、前記第2のウェブ300がまた、機械方向MDの主延長部、第1の面301および第2の面302、ならびに第1の縁部303および第2の縁部304を有し、前記第1の縁部303および前記第2の縁部304が機械方向MDに延びる、ステップと、
c.第3のウェブ700を提供するステップであり、前記第3のウェブ700が、機械方向MDの主延長部、第1の面701および第2の面702、ならびに第1の縁部703および第2の縁部704を有し、前記第1の縁部703および前記第2の縁部704が機械方向MDに延びる、ステップと、
d.第1のウェブ200および第3のウェブ700それぞれの第1の縁部203、703が隣接するように、前記ウェブ200、700の第1の面201、701が同じ方向を向く隔置された構成で、前記第1のウェブ200に隣接して実質上平行に位置するように前記第3のウェブ700を構成するステップと、
e.前記第1のウェブ200の第1の面201の少なくとも一部分または第2のウェブ300の第1の面301の少なくとも一部分に第1の接着剤250を付着させるステップと、
f.前記第3のウェブ700の第1の面701の少なくとも一部分または第2のウェブ300の第1の面301の少なくとも一部分に第2の接着剤260を付着させるステップと、
g.前記第1のウェブ200の前記第1の面201または前記第2のウェブ300の前記第1の面301のうち、少なくとも前記第1の接着剤250を含む部分上に、少なくとも1本の第1の弾性糸500を付着させるステップであり、前記少なくとも1本の第1の糸500が第1のパターンP1で付着され、前記第1のパターンP1が交差方向CDに振動し、機械方向MDに延びる、ステップと、
h.前記第3のウェブ700の前記第1の面701または前記第2のウェブ300の前記第1の面301のうち、少なくとも前記第2の接着剤260を含む部分上に、少なくとも1本の第2の弾性糸502を付着させるステップであり、
前記少なくとも1本の第2の弾性糸502が第2のパターンP2で付着され、前記第2のパターンP2が交差方向CDに振動し、機械方向MDに延びる、ステップと、
i.前記第1のウェブ200の第1の面201上に前記第2のウェブ300の第1の面301の一部分を付着させ、前記少なくとも1本の第1の弾性糸500が第1のウェブ200および第2のウェブ300それぞれの第1の面201、301間に部分的に挟まれるように、前記第1のウェブ200と前記第2のウェブ300をともに固定するステップであり、
したがって第1のパターンP1が、第1のウェブ200の第1の縁部203を覆って延び、前記第1のウェブ200の前記第1の縁部203から交差方向CDに突出する前記第1の弾性糸500の第1のループ501を形成する、ステップと、
j.前記第3のウェブ700の第1の面701上に前記第2のウェブ300の第1の面301の一部分を付着させ、前記少なくとも1本の第2の弾性糸502が第2のウェブ300および第3のウェブ700それぞれの第1の面301、701間に部分的に挟まれるように、前記第3のウェブ700と前記第2のウェブ300をともに固定するステップであり、
したがって第2のパターンP2が、第3のウェブ700の第1の縁部703を覆って延び、前記第3のウェブ700の前記第1の縁部703から交差方向CDに突出する前記第2の弾性糸502の第2のループ503を形成し、
したがって第1の弾性糸500が第1のウェブ200の第1の縁部203から最も遠くに位置する機械方向MDの点が、第2の弾性糸502が第3のウェブ700の第1の縁部703から最も遠くに位置する機械方向MDの点に実質上対応するように、前記第1のパターンP1と前記第2のパターンP2が同期される、ステップと、
k.前記第1のウェブ200の第1の縁部203に隣接して位置する第1のループ保持手段410内に前記第1の弾性糸500の第1のループ501を固定するステップと、
l.前記第3のウェブ700の第1の縁部703に隣接して位置する第2のループ保持手段411内に前記第2の弾性糸502の第2のループ503を固定するステップと、
m.ループ501が第1のウェブ200から切り離されるように、それぞれの第1の弾性糸500が前記第1のウェブ200の第1の縁部203と交差する点で実質上すべての第1の弾性糸500を切断するステップと、
n.ループ503が第3のウェブ700から切り離されるように、それぞれの第2の弾性糸502が前記第3のウェブ700の第1の縁部703と交差する点で実質上すべての第2の弾性糸502を切断するステップとを含み、
ステップi.の前のプロセス内の任意の時点で、ステップd.を行うことができ、
不連続な弾性糸510、511を有する弾性ウェブ140を提供する。
【００１３】
この方法のステップe.〜l.は、単一のニップ400内で実質上同時に行うことができる。
【００１４】
第1のループ保持手段410は、前記第1のウェブ200の第1の縁部203に隣接して位置する少なくとも1本の第1の弾性ベルト401および少なくとも1本の第2の弾性ベルト402を含むことが好ましい。同様に、第2のループ保持手段411は、前記第3のウェブ700の第1の縁部703に隣接して位置する少なくとも1本の第3の弾性ベルト403および少なくとも1本の第4の弾性ベルト404を含むことができる。さらなる選択肢として、単一の広い弾性ベルトが、第3の弾性ベルト403および第1の弾性ベルト401を構成することができ、単一の広い弾性ベルトが、第4の弾性ベルト404および第2の弾性ベルト402を構成することができる。
【００１５】
本発明はまた、弾性ウェブ140からパンツタイプの物品20を製造する方法を提供する。この方法は、
a.上記の方法を実施して不連続な弾性糸510、511を有する弾性ウェブ140を提供するステップであり、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれる、ステップと、
b.弾性ウェブ140のうち、第1のウェブ200および第3のウェブ700の不連続な弾性糸510、511間に実質上画定された脚部領域122を切除して、脚部開口部121を形成するステップと、
c.弾性ウェブ140の第1の縁部143と第2の縁部144が互いに実質上隣接し、かつ実質上平行に構成されるように、弾性ウェブ140を折り目線Fに沿って折り畳むステップと、
d.折り畳んだ弾性ウェブ140を線Cに沿って結合して、サイドシーム131を形成するステップであり、前記線Cが、弾性ウェブ140の第1の縁部143および第2の縁部144から折り目線Fへ実質上交差方向CDに延び、前記線Cが、不連続な弾性糸510、511が折り目線Fから最も遠くに位置する点に実質上位置する、ステップと、
e.弾性ウェブ140が切れ目の両側で結合されたままになるように、弾性ウェブ140を線Cに沿って切断するステップとを含み、
ステップb.およびc.を任意の順序で行うことができ、それによってパンツタイプの物品20を提供する。
【００１６】
この方法は、ステップa.の後であるがステップc.の前に、第1のウェブ200、第2のウェブ300、および/または第3のウェブ700の少なくとも一部分上に重なるように吸収性パケット130を配置し、前記第1のウェブ200、第2のウェブ300、および/または第3のウェブ700の少なくとも1つに前記吸収性パケット130を固定する追加のステップを含むことができる。
【００１７】
本発明はまた、弾性ウェブ140から吸収性物品10を製造する方法を提供する。この方法は、
a.上記の方法を実施して不連続な弾性糸510、511を有する弾性ウェブ140を提供するステップであり、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれる、ステップと、
b.第1のウェブ200、第2のウェブ300、および/または第3のウェブ700の少なくとも一部分上に重なるように吸収性パケット130を配置し、前記第1のウェブ200、第2のウェブ300、および/または第3のウェブ700の少なくとも1つに前記吸収性パケット130を固定するステップと、
c.弾性ウェブ140のうち、第1のウェブ200および第3のウェブ700の不連続な弾性糸510、511間に実質上画定された領域を切除して、脚部開口部121を形成するステップと、
d.前記弾性ウェブ140上に締付け手段132を提供するステップと、
e.弾性ウェブ140を線Cに沿って切断するステップであり、前記線Cが、弾性ウェブ140の第1の縁部143から第2の縁部144へ実質上交差方向CDに延び、前記線Cが、不連続な弾性糸510、511が第1のウェブ200および第3のウェブ700の第1の縁部203、703から最も遠くに位置する点に実質上位置する、ステップとを含み、
吸収性物品10を提供する。
【００１８】
本発明はまた、不連続な弾性糸を有する弾性ウェブ100を提供する。この弾性ウェブは、
a.機械方向MDの主延長部、第1の面201および第2の面202、ならびに第1の縁部203および第2の縁部204を有し、前記第1の縁部203および前記第2の縁部204が機械方向MDに延びる、第1のウェブ200と、
b.同じく機械方向MDの主延長部、第1の面301および第2の面302、ならびに第1の縁部303および第2の縁部304を有し、前記第1の縁部303および前記第2の縁部304が機械方向MDに延びる、第2のウェブ300と、
c.前記第1のウェブ200の第1の面201の少なくとも一部分上に構成された第1の接着剤250と、
d.前記第1のウェブ200の前記第1の面201のうち、少なくとも前記第1の接着剤250を含む部分上に構成された少なくとも1本の不連続な弾性糸510とを含み、
e.前記第2のウェブ300の第1の面301が、前記第1のウェブ200の第1の面201上に重なり、前記少なくとも1本の不連続な弾性糸510が前記第1のウェブ200および前記第2のウェブ300それぞれの第1の面201、301間に挟まれるように、前記第1のウェブ200と前記第2のウェブ300がともに固定される。
【００１９】
少なくとも1本の不連続な糸510は、パターンRで存在し、前記パターンRは、第1のウェブ200の第1の縁部203から延びて再び第1のウェブ200の前記第1の縁部203へ戻るループ520を形成し、したがって不連続な弾性糸510は、前記第1のウェブ200の第1の縁部203と交わる各点で終端をなす。
【００２０】
さらに、本発明は、不連続な弾性糸510、511を有する弾性ウェブ140を提供する。この弾性ウェブ140は、
a.機械方向MDの主延長部、第1の面201および第2の面202、ならびに第1の縁部203および第2の縁部204を有し、前記第1の縁部203および前記第2の縁部204が機械方向MDに延びる、第1のウェブ200と、
b.機械方向MDの主延長部、第1の面301および第2の面302、ならびに第1の縁部303および第2の縁部304を有し、前記第1の縁部303および前記第2の縁部304が機械方向MDに延びる、第2のウェブ300と、
c.機械方向MDの主延長部、第1の面701および第2の面702、ならびに第1の縁部703および第2の縁部704を有し、前記第1の縁部703および前記第2の縁部704が機械方向MDに延びる、第3のウェブ700と、
d.前記第1のウェブ200の第1の面201の少なくとも一部分または前記第2のウェブ300の第1の面301の少なくとも一部分上に構成された第1の接着剤250と、
e.前記第1のウェブ200の前記第1の面201または前記第2のウェブ300の第1の面301のうち、少なくとも前記第1の接着剤250を含む部分上に構成された少なくとも1本の不連続な弾性糸510と、
f.前記第3のウェブ700の第1の面701の少なくとも一部分または前記第2のウェブ300の第1の面301の少なくとも一部分上に構成された第2の接着剤260と、
g.前記第3のウェブ700の前記第1の面701または前記第2のウェブ300の第1の面301のうち、少なくとも前記第2の接着剤260を含む部分上に構成された少なくとも1本の不連続な弾性糸511とを含み、
h.第1のウェブ200および第3のウェブ700それぞれの第1の縁部203、703が隣接するように、前記第3のウェブ700が、前記ウェブ200、700の第1の面201、701が同じ方向を向く隔置された構成で、前記第1のウェブ200に隣接して実質上平行に位置し、
i.前記第2のウェブ300の第1の面301が、前記第1のウェブ200の第1の面201上に重なり、前記少なくとも1本の不連続な弾性糸510が前記第1のウェブ200および前記第2のウェブ300それぞれの第1の面201、301間に挟まれるように、前記第1のウェブ200と前記第2のウェブ300がともに固定され、
j.前記第2のウェブ300の第1の面301がまた、前記第3のウェブ700の第1の面701上に重なり、前記少なくとも1本の不連続な弾性糸511が前記第3のウェブ700および前記第2のウェブ300それぞれの第1の面701、301間に挟まれるように、前記第3のウェブ700と前記第2のウェブ300がともに固定される。
【００２１】
少なくとも1本の不連続な弾性糸510は、第1のパターンR1で存在し、前記第1のパターンR1は、第1のウェブ200の第1の縁部203から延びて再び第1のウェブ200の前記第1の縁部203へ戻るループ520を形成し、したがって不連続な弾性糸510は、前記第1のウェブ200の第1の縁部203と交わる各点で終端をなす。さらに、少なくとも1本の不連続な糸511は、第2のパターンR2で存在し、前記第2のパターンR2は、第3のウェブ700の第1の縁部703から延びて再び第3のウェブ700の前記第3の縁部703へ戻るループ521を形成し、したがって不連続な弾性糸511は、前記第3のウェブ700の第1の縁部703と交わる各点で終端をなす。
【００２２】
本発明はまた、パンツタイプの物品20であって、
-  前面パネル150と、
-  背面パネル160と、
-  前記前面パネル150と前記背面パネル160の間でパンツタイプの物品20の長手方向Lに延び、前記前面パネル150および前記背面パネル160に結合される股部パネル181であり、
股部層180および/または吸収性パケット130を含む股部パネル181とを含み、
-  前記前面パネル150と前記背面パネル160が、前記前面パネル150および背面パネル160の横縁部にあるサイドシーム131で結合され、
-  少なくとも前記前面パネル150が、第1の前面層151と、第2の前面層152と、前記第1の前面層151と前記第2の前面層152の間に位置する少なくとも2つの第1の脚部弾性体153とを含み、前記少なくとも2つの第1の脚部弾性体153が、パンツタイプの物品20の長手方向の中心線L1の両側に位置し、
-  前記第1の前面層151が、実質上パンツタイプの物品20の横方向Tに延びる第1の縁部154および第2の縁部155によって画定され、前記第1の縁部154が、パンツタイプの物品20の股部パネル181の最も近くに位置する縁部であり、
-  前記背面パネル160がまた、第1の背面層161と、第2の背面層162と、前記第1の背面層161と前記第2の背面層162の間に位置する少なくとも2つの第2の脚部弾性体163とを含み、前記少なくとも2つの第2の脚部弾性体163が、パンツタイプの物品20の長手方向の中心線L1の両側に位置し、
-  前記第1の背面層161が、実質上パンツタイプの物品20の横方向Tに延びる第1の縁部164および第2の縁部165によって画定され、前記第1の縁部164が、パンツタイプの物品20の股部パネル181の最も近くに位置する縁部である、パンツタイプの物品20を提供する。
【００２３】
前記前面パネル150内の第1の脚部弾性体153は、前記第1の前面層151の第1の縁部154と交わる点で終端をなし、前記背面パネル160内の第2の脚部弾性体163は、前記第1の背面層161の第1の縁部164と交わる点で終端をなす。
【００２４】
上記のパンツタイプの物品20では、前記少なくとも2つの第1の脚部弾性体153および前記少なくとも2つの第2の脚部弾性体163は、横方向Tでパンツタイプの物品20の吸収性パケット130の両側に位置することができる。さらに、単一の第2の層170が、第2の前面層152、第2の背面層162、および股部層180を構成することもできる。
【００２５】
さらに、本発明は、吸収性物品10であって、
-  前面パネル150と、
-  背面パネル160と、
-  前記前面パネル150と前記背面パネル160の間で吸収性物品10の長手方向Lに延び、前記前面パネル150および前記背面パネル160に結合される股部パネル181であり、
吸収性パケット130および任意選択で股部層180を含む股部パネル181とを含み、
-  前記前面パネル150および前記背面パネル160の少なくとも1つが、締付け手段132を含み、
-  少なくとも前記前面パネル150が、第1の前面層151と、第2の前面層152と、前記第1の前面層151と前記第2の前面層152の間に位置する少なくとも2つの第1の脚部弾性体153とを含み、前記少なくとも2つの第1の脚部弾性体153が、吸収性物品10の長手方向の中心線L1の両側に位置し、
-  前記第1の前面層151が、実質上吸収性物品10の横方向Tに延びる第1の縁部154および第2の縁部155によって画定され、
-  前記第1の縁部154が、吸収性物品10の股部パネル181の最も近くに位置する縁部であり、前記背面パネル160がまた、第1の背面層161と、第2の背面層162と、前記第1の背面層161と前記第2の背面層162の間に位置する少なくとも2つの第2の脚部弾性体163とを含み、前記少なくとも2つの第2の脚部弾性体163が、吸収性物品10の長手方向の中心線L1の両側に位置し、
-  前記第1の背面層161が、実質上吸収性物品10の横方向Tに延びる第1の縁部164および第2の縁部165によって画定され、前記第1の縁部164が、吸収性物品10の股部パネル181の最も近くに位置する縁部である、吸収性物品10を提供する。
【００２６】
前記前面パネル150内の第1の脚部弾性体153は、前記第1の前面層151の第1の縁部154と交わる点で終端をなし、前記背面パネル160内の第2の脚部弾性体163は、前記第1の背面層161の第1の縁部164と交わる点で終端をなす。
【００２７】
上記の吸収性物品10では、前記少なくとも2つの第1の脚部弾性体153および前記少なくとも2つの第2の脚部弾性体163は、横方向Tで吸収性物品10の吸収性パケット130の両側に位置する。単一の第2の層170が、第2の前面層152、第2の背面層162、および股部層180を構成することもできる。
【００２８】
本発明は、本発明の第1の方法を実施する装置600を提供する。この装置は、
-  前記第1のウェブ200を供給する第1のウェブ供給手段601と、
-  前記第2のウェブ300を供給する第2のウェブ供給手段602と、
-  前記少なくとも1本の弾性糸500を供給する弾性糸供給手段603と、
-  前記第1の接着剤250を供給する接着剤供給手段604と、
-  前記少なくとも1本の弾性糸500を切断する弾性体切断手段605とを備え、
-  前記接着剤供給手段604が、前記第1のウェブ200の第1の面201の少なくとも一部分に第1の接着剤250を付着させるように構成され、
-  前記弾性糸供給手段603が、前記第1のウェブ200の前記第1の面201のうち、少なくとも前記第1の接着剤250を含む部分上に、少なくとも1本の弾性糸500を付着させるように構成され、前記少なくとも1本の糸500がパターンPで付着され、前記パターンPが交差方向CDに振動し、機械方向MDに延び、したがってパターンPが、第1のウェブ200の第1の縁部203を覆って延び、前記第1のウェブ200の前記第1の縁部203から交差方向CDに突出する前記弾性糸500のループ501を形成し、
-  前記第2のウェブ供給手段602が、前記第1のウェブ200の第1の面201上に前記第2のウェブ300の第1の面301を付着させ、前記少なくとも1本の弾性糸500が第1のウェブ200および第2のウェブ300それぞれの第1の面201、301間に部分的に挟まれるように、前記第1のウェブ200と前記第2のウェブ300をともに固定するように構成され、
-  前記弾性体切断手段605が、ループ501が第1のウェブ200から切り離されるように、各弾性糸500が前記第1のウェブ200の第1の縁部203と交差する点で実質上すべての弾性糸500を切断するように構成される。
【００２９】
装置600は、前記第1のウェブ200の第1の縁部203に隣接して位置するループ保持手段410であり、前記ループ保持手段410内でループ501を固定するように適合されたループ保持手段410をさらに備える。
【００３０】
第1のウェブ200と第2のウェブ300は、単一のニップ400内でともに固定することができる。ループ保持手段410は、前記第1のウェブ200の第1の縁部203に隣接して位置する少なくとも1本の第1の弾性ベルト401および少なくとも1本の第2の弾性ベルト402であり、前記少なくとも1本の第1の弾性ベルト401と前記少なくとも1本の第2の弾性ベルト402の間のニップ400内でループ501を固定するように適合された少なくとも1本の第1の弾性ベルト401および少なくとも1本の第2の弾性ベルト402を含むと適切である。
【００３１】
さらに、
-  第1のウェブ供給手段601と、
-  第2のウェブ供給手段602と、
-  少なくとも1本の弾性糸500を供給する弾性糸供給手段603と、
-  接着剤供給手段604と、
-  切断手段605と、
-  ループ保持手段(410)と
を単一の中心回転胴620の周辺に構成することができる。
【００３２】
本発明はまた、パンツタイプの物品20を製造する装置600であって、
-  第1および第2の弾性ウェブ100を供給する弾性ウェブ供給手段606と、
-  第4のウェブ900を供給する第4のウェブ供給手段616および/または吸収性パケット130を供給する吸収性パケット供給手段618と、
-  脚部領域122を切除する脚部領域切断手段608と、
-  結合させた弾性ウェブ100を折り畳む折畳み手段617と、
-  第1および第2の弾性ウェブ100を結合する結合手段614と、
-  弾性ウェブ100およびもしあれば第4のウェブ900を切断する弾性ウェブ切断手段609とをさらに備え、
a.前記弾性ウェブ供給手段606が、前記弾性ウェブ100のそれぞれの第1の縁部103が互いに最も近くに位置し、互いに対して実質上平行に位置合わせされるように、第1および第2の弾性ウェブ100を互いに隣接して隔置された関係で提供するように構成され、第1の弾性ウェブ100内のそれぞれの不連続な弾性糸510が第2の弾性ウェブ100内の対応する不連続な弾性糸510に対向して位置するように、前記第1および第2の弾性ウェブ100が同期され、
b.第4のウェブ900を供給する前記第4のウェブ供給手段616が、第1および第2の弾性ウェブ100の第1の縁部103上に重なるように第4のウェブ900を配置するように、そして第1および第2の弾性ウェブ100の両方に前記第4のウェブ900を固定するように構成され、
c.前記吸収性パケット供給手段618が、前記第4のウェブ900および/または前記吸収性パケット130の少なくとも1つが第1および第2の弾性ウェブ100の両方に固定されるように、第1または第2の弾性ウェブ100の少なくとも一部分上に重なるように吸収性パケット130を配置するように、そして前記第1および第2の弾性ウェブ100の少なくとも1つに前記吸収性パケット130を固定するように構成され、
d.前記脚部領域切断手段608が、一方または両方の弾性ウェブ100およびもしあれば前記第4のウェブ900の脚部領域122を切除して、脚部開口部111を形成するように構成され、各脚部領域122が、不連続な弾性糸510によって実質上画定され、
e.前記折畳み手段617が、各弾性ウェブ100の第2の縁部104が互いに実質上隣接し、かつ実質上平行に構成され、第4のウェブ900が折り目の外側に位置し、かつ/または吸収性パケット130が折り目の内側に位置するように、結合させた弾性ウェブ100を折り目線Fに沿って折り畳むように構成され、
f.前記結合手段614が、第1および第2の弾性ウェブ100を互いに線Cに沿って結合して、サイドシーム131を形成するように構成され、前記線Cが、各弾性ウェブ100の第2の縁部104から折り目線Fへ実質上交差方向CDに延び、前記線Cが、少なくとも1本の不連続な弾性糸510が各弾性ウェブ100の第1の縁部103から最も遠くに位置する点に実質上位置し、
g.前記弾性ウェブ切断手段609が、第1および第2の弾性ウェブ100が切れ目の両側で結合されたままになるように、各弾性ウェブ100およびもしあれば第4のウェブ900を線Cに沿って切断するように構成される、装置600を提供する。
【００３３】
さらに、開放型おむつの形で吸収性物品10を製造する装置600が提供される。この装置600は、
-  第1および第2の弾性ウェブ100を供給する弾性ウェブ供給手段606と、
-  吸収性パケット130を供給する吸収性パケット供給手段618と、
-  任意選択で、第4のウェブ900を供給する第4のウェブ供給手段616と、
-  脚部領域122を切除する脚部領域切断手段608と、
-  弾性ウェブ100およびもしあれば第4のウェブ900を切断する弾性ウェブ切断手段609と、
-  締付け手段132を供給する締付け供給手段615とをさらに備え、
a.前記弾性ウェブ供給手段606が、前記弾性ウェブ100のそれぞれの第1の縁部103が互いに最も近くに位置し、互いに対して実質上平行に位置合わせされるように、第1および第2の弾性ウェブ100を互いに隣接して隔置された関係で提供するように構成され、第1の弾性ウェブ100内のそれぞれの不連続な弾性糸510が第2の弾性ウェブ100内の対応する不連続な弾性糸510に対向して位置するように、前記第1および第2の弾性ウェブ100が同期され、
b.前記吸収性パケット供給手段618が、第1または第2の弾性ウェブ100の少なくとも一部分上に重なるように吸収性パケット130を配置するように構成され、
c.第4のウェブ900を供給する前記第4のウェブ供給手段616が、第1および第2の弾性ウェブ100の第1の縁部103上に重なるように第4のウェブ900を配置するように、そして第1および第2の弾性ウェブ100の両方に前記第4のウェブ900および/または前記吸収性パケット130の少なくとも1つを固定するように構成され、
d.前記脚部領域切断手段608が、一方または両方の弾性ウェブ100およびもしあれば前記第4のウェブ900の脚部領域122を切除して、脚部開口部111を形成するように構成され、各脚部領域122が、不連続な弾性糸510によって実質上画定され、
e.前記弾性ウェブ切断手段609が、結合させた弾性ウェブ100およびもしあれば第4のウェブ900を線Cに沿って切断するように構成され、前記線Cが、一方の弾性ウェブ100の第2の縁部104から他方の弾性ウェブ100の第2の縁部104へ実質上交差方向CDに延び、前記線Cが、少なくとも1本の不連続な弾性糸510が各弾性ウェブ100の第1の縁部103から最も遠くに位置する点に実質上位置し、
f.前記締付け供給手段615が、前記第1および第2の弾性ウェブ100の少なくとも1つの上に締付け手段132を提供するように構成される。
【００３４】
弾性ウェブ140を製造する装置600も提供される。前記装置600は、
-  前記第1のウェブ200を供給する第1のウェブ供給手段601と、
-  前記第2のウェブ300を供給する第2のウェブ供給手段602と、
-  前記第3のウェブ700を供給する第3のウェブ供給手段607と、
-  前記少なくとも1本の第1の弾性糸500を供給する第1の弾性糸供給手段610と、
-  前記少なくとも1本の第2の弾性糸502を供給する第2の弾性糸供給手段611と、
-  前記第1の接着剤250を供給する第1の接着剤供給手段612と、
-  前記第2の接着剤260を供給する第2の接着剤供給手段613と、
-  前記第1の弾性糸500および前記第2の弾性糸502を切断する切断手段605、605’とを備え、
-  前記第1の接着剤供給手段612が、前記第1のウェブ200の第1の面201の少なくとも一部分または第2のウェブ300の第1の面301の少なくとも一部分に第1の接着剤250を付着させるように構成され、
-  前記第1の弾性糸供給手段610が、前記第1のウェブ200の前記第1の面201または前記第2のウェブ300の前記第1の面301のうち、少なくとも前記第1の接着剤250を含む部分上に、少なくとも1本の第1の弾性糸500を付着させるように構成され、前記少なくとも1本の第1の弾性糸500が第1のパターンP1で付着され、前記第1のパターンP1が交差方向CDに振動し、機械方向MDに延び、
-  前記第2の接着剤供給手段613が、第3のウェブ700の第1の面701の少なくとも一部分または第2のウェブ300の第1の面301の少なくとも一部分に第2の接着剤260を付着させるように構成され、
-  前記第2の弾性糸供給手段611が、前記第3のウェブ700の前記第1の面701または前記第2のウェブ300の前記第1の面301のうち、少なくとも前記第2の接着剤260を含む部分上に、少なくとも1本の第2の弾性糸502を付着させるように構成され、前記少なくとも1本の第2の弾性糸502が第2のパターンP2で付着され、前記第2のパターンP2が交差方向CDに振動し、機械方向MDに延び、
-  前記第2のウェブ供給手段602が、前記第1のウェブ200の第1の面201および前記第3のウェブ700の第1の面701上に前記第2のウェブ300の第1の面301を付着させ、前記少なくとも1本の第1の弾性糸500が第1のウェブ200および第2のウェブ300それぞれの第1の面201、301間に部分的に挟まれ、前記少なくとも1本の第2の弾性糸502が第3のウェブ700および第2のウェブ300それぞれの第1の面701、301間に部分的に挟まれるように、前記第1のウェブ200と前記第2のウェブ300をともに固定し、前記第3のウェブ700と前記第2のウェブ300をともに固定するように構成され、
したがって第1のパターンP1が、第1のウェブ200の第1の縁部203を覆って延び、前記第1のウェブ200の前記第1の縁部203から交差方向CDに突出する前記第1の弾性糸500の第1のループ501を形成し、
したがって第2のパターンP2が、第3のウェブ700の第1の縁部703を覆って延び、前記第3のウェブ700の前記第1の縁部703から交差方向CDに突出する前記第2の弾性糸502の第2のループ503を形成し、
したがって第1の弾性糸500が第1のウェブ200の第1の縁部203から最も遠くに位置する機械方向MDの点が、第2の弾性糸502が第3のウェブ700の第1の縁部703から最も遠くに位置する機械方向MDの点に実質上対応するように、前記第1のパターンP1と前記第2のパターンP2が同期され、
- 前記切断手段605、605’が、第1のループ501が第1のウェブ200から切り離されるように、それぞれの第1の弾性糸500が前記第1のウェブ200の第1の縁部203と交差する点で、また第2のループ503が第3のウェブ700から切り離されるように、それぞれの第2の弾性糸502が前記第3のウェブ700の第1の縁部701と交差する点で、実質上すべての弾性糸500、502を切断するように構成される。
【００３５】
装置600は、前記第1のウェブ200の第1の縁部203に隣接して位置する第1のループ保持手段410であり、前記第1のループ保持手段410内で第1のループ501を固定するように適合された第1のループ保持手段410と、前記第3のウェブ700の第1の縁部703に隣接して位置する第2のループ保持手段411であり、前記第2のループ保持手段411内で第2のループ503を固定するように適合された第2のループ保持手段411とを備える。
【００３６】
第1のループ保持手段410は、前記第1のウェブ200の第1の縁部203に隣接して位置する少なくとも1本の第1の弾性ベルト401および少なくとも1本の第2の弾性ベルト402であり、前記少なくとも1本の第1の弾性ベルト401と前記少なくとも1本の第2の弾性ベルト402の間のニップ400内で第1の弾性糸500の第1のループ501を固定するように適合された少なくとも1本の第1の弾性ベルト401および少なくとも1本の第2の弾性ベルト402を含むことができる。
【００３７】
同様に、第2のループ保持手段411は、前記第3のウェブ700の第1の縁部703に隣接して位置する少なくとも1本の第3の弾性ベルト403および少なくとも1本の第4の弾性ベルト404であり、前記少なくとも1本の第3の弾性ベルト403と前記少なくとも1本の第4の弾性ベルト404の間のニップ400’内で第2の弾性糸502の第2のループ503を固定するように適合された少なくとも1本の第3の弾性ベルト403および少なくとも1本の第4の弾性ベルト404を含む。任意選択で、単一の広い弾性ベルトが、第3の弾性ベルト403および第1の弾性ベルト401を構成することができ、単一の広い弾性ベルトが、第4の弾性ベルト404および第2の弾性ベルト402を構成する。
【００３８】
第1のウェブ200、第2のウェブ300、および第3のウェブ700は、上記の装置600内の単一のニップ400内でともに固定することができる。
【００３９】
上記の装置600では、
-  前記第1のウェブ200を供給する第1のウェブ供給手段601と、
-  前記第2のウェブ300を供給する第2のウェブ供給手段602と、
-  前記第3のウェブ700を供給する第3のウェブ供給手段607と、
-  前記少なくとも1本の第1の弾性糸500を供給する第1の弾性糸供給手段610と、
-  前記少なくとも1本の第2の弾性糸502を供給する第2の弾性糸供給手段611と、
-  前記第1の接着剤250を供給する第1の接着剤供給手段612と、
-  前記第2の接着剤260を供給する第2の接着剤供給手段613と、
-  前記第1の弾性糸500および前記第2の弾性糸502を切断する切断手段605、605’と、
-  第1のループ保持手段410および第2のループ保持手段411と
を単一の中心回転胴620の周辺に構成することができる。
【００４０】
弾性ウェブ140からパンツタイプの物品20を製造する装置600も提供される。この装置600は、
-  前記弾性ウェブ140を供給する弾性ウェブ供給手段621と、
-  任意選択で、吸収性パケット130を供給する吸収性パケット供給手段622と、
-  脚部領域122を切除する脚部領域切断手段623と、
-  弾性ウェブ140を折り畳む折畳み手段628と、
-  弾性ウェブ140を結合する結合手段626と、
-  弾性ウェブ140を切断する弾性ウェブ切断手段625とをさらに備え、
a.前記弾性ウェブ供給手段621が、不連続な弾性糸510、511を有する弾性ウェブ140を提供するように構成され、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれ、
b.前記吸収性パケット供給手段622が、第1のウェブ200、第2のウェブ300、および/または第3のウェブ700の少なくとも一部分上に重なるように吸収性パケット130を配置するように、そして前記第1のウェブ200、第2のウェブ300、および第3のウェブ700の少なくとも1つに前記吸収性パケット130を固定するように構成され、
c.前記脚部領域切断手段623が、弾性ウェブ140のうち、第1のウェブ200および第3のウェブ700の不連続な弾性糸510、511間に実質上画定された領域を切除して、脚部開口部121を形成するように構成され、
d.前記折畳み手段628が、弾性ウェブ140の第1の縁部143と第2の縁部144が互いに実質上隣接し、かつ実質上平行に構成されるように、弾性ウェブ140を折り目線Fに沿って折り畳むように構成され、
e.前記結合手段626が、折り畳んだ弾性ウェブ140を線Cに沿って結合して、サイドシーム131を形成するように構成され、前記線Cが、弾性ウェブ140の第1の縁部143および第2の縁部144から折り目線Fへ実質上交差方向CDに延び、前記線Cが、不連続な弾性糸510、511が折り目線Fから最も遠くに位置する点に実質上位置し、
f.前記弾性ウェブ切断手段625が、弾性ウェブ140が切れ目の両側で結合されたままになるように、弾性ウェブ140を線Cに沿って切断するように構成される。
【００４１】
弾性ウェブ140から開放型おむつの形で吸収性物品10を製造する装置600も提供される。この装置600は、
-  前記弾性ウェブ140を供給する弾性ウェブ供給手段621と、
-  吸収性パケット130を供給する吸収性パケット供給手段622と、
-  脚部領域624を切除する脚部領域切断手段623と、
-  弾性ウェブ140を切断する弾性ウェブ切断手段625と、
-  締付け手段132を供給する締付け供給手段627とをさらに備え、
a.前記弾性ウェブ供給手段621が、不連続な弾性糸510、511を有する弾性ウェブ140を提供するように構成され、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれ、
b.前記吸収性パケット供給手段622が、第1のウェブ200、第2のウェブ300、および/または第3のウェブ700の少なくとも一部分上に重なるように吸収性パケット130を配置するように、そして前記第1のウェブ200、前記第2のウェブ300、および前記第3のウェブ700の少なくとも1つに前記吸収性パケット130を固定するように構成され、
c.前記脚部領域切断手段623が、弾性ウェブ140のうち、第1のウェブ200および第3のウェブ700の不連続な弾性糸510、511間に実質上画定された領域を切除して、脚部開口部121を形成するように構成され、
d.前記締付け供給手段627が、前記弾性ウェブ140上に締付け手段132を提供するように構成され、
e.前記弾性ウェブ切断手段625が、弾性ウェブ140を線Cに沿って切断するように構成され、前記線Cが、弾性ウェブ140の第1の縁部143から第2の縁部144へ実質上交差方向CDに延び、前記線Cが、不連続な弾性糸510、511が第1のウェブ200および第3のウェブ700の第1の縁部203、703から最も遠くに位置する点に実質上位置する。
【００４２】
定義
「機械方向」とは、自動化プロセスにおける構成要素の主要な進行方向を意味すると理解されるべきである。「交差方向」とは、構成要素の平面において機械方向に対して垂直な方向を意味すると理解されるべきである。
【００４３】
「吸収性物品」という用語は、尿、糞便、および月経液のような身体滲出物を吸収して封じ込めるために着用者の皮膚に接して配置される製品を指す。本発明は主に、使い捨ての吸収性物品を指し、洗濯するため、または他の方法で使用後に吸収性物品として復元もしくは再利用するための物品を意味するものではない。この用語には、おむつ(開放型おむつとパンツ型おむつの両方)および失禁ガードが含まれる。
【００４４】
本発明について、添付の概略図を参照して、次により詳細に説明する。
【図面の簡単な説明】
【００４５】
【図１】弾性ウェブを製造する方法の第1の実施形態の簡略化した図である。
【図２】異なるループ締付け手段をもつ第1の実施形態の簡略化した図である。
【図３】異なるループ締付け手段をもつ第1の実施形態の簡略化した図である。
【図３Ａ】図3の線IIIA-IIIAに沿って切り取った拡大横断面図である。
【図３Ｂ】図3の線IIIB-IIIBに沿って切り取った拡大横断面図である。
【図４】第1の実施形態の弾性ウェブを提供するのに適した装置の横断面図である。
【図５】図3の2つの弾性ウェブからパンツタイプの物品をどのように製作できるかを示す図である。
【図６】図3の2つの弾性ウェブから開放型おむつをどのように製作できるかを示す図である。
【図７】弾性ウェブを製造する方法の第2の実施形態の簡略化した図である。
【図７Ａ】図7の線VIIA-VIIAに沿って切り取った拡大横断面図である。
【図７Ｂ】図7の線VIIB-VIIBに沿って切り取った拡大横断面図である。
【図８】第2の実施形態の弾性ウェブを提供するのに適した装置の横断面図である。
【図９】図7の弾性ウェブからパンツタイプの物品をどのように製作できるかを示す図である。
【図１０】図7の弾性ウェブから開放型おむつをどのように製作できるかを示す図である。
【図１１】本発明のパンツタイプの物品の一実施形態を示す図である。
【図１１Ａ】図11の線XIA-XIAに沿って切り取った横断面図である。
【図１２】本発明のパンツタイプの物品の一実施形態を示す図である。
【図１２Ａ】図12の線XIIA-XIIAに沿って切り取った横断面図である。
【図１３】本発明のパンツタイプの物品の一実施形態を示す図である。
【図１３Ａ】図13の線XIIIA-XIIIAに沿って切り取った横断面図である。
【図１４】本発明のパンツタイプの物品の一実施形態を示す図である。
【図１４Ａ】図14の線XIVA-XIVAに沿って切り取った横断面図である。
【図１５】本発明のパンツタイプの物品の一実施形態を示す図である。
【図１５Ａ】図15の線XVA-XVAに沿って切り取った横断面図である。
【図１６】本発明のパンツタイプの物品の一実施形態を示す図である。
【図１６Ａ】図16の線XVIA-XVIAに沿って切り取った横断面図である。
【図１７】本発明のパンツタイプの物品の一実施形態を示す図である。
【図１７Ａ】図17の線XVIIA-XVIIAに沿って切り取った横断面図である。
【図１８】本発明の開放型おむつの一実施形態を示す図である
【図１８Ａ】図18の線XVIIIA-XVIIIAに沿って切り取った横断面図である。
【図１９】本発明の開放型おむつの一実施形態を示す図である。
【図１９Ａ】図18の線XIXA-XIXAに沿って切り取った横断面図である。
【図２０】本発明の開放型おむつの一実施形態を示す図である。
【図２０Ａ】図20の線XXA-XXAに沿って切り取った横断面図である。
【図２１】本発明の開放型おむつの一実施形態を示す図である。
【図２１Ａ】図21の線XXIA-XXIAに沿って切り取った横断面図である。
【発明を実施するための形態】
【００４６】
本発明の一実施形態の簡略化した図を、図1に示す。図示の方法により、不連続な弾性糸510を有する弾性ウェブ100を製造することができる。弾性ウェブ100は本質的に、第1のウェブ200および第2のウェブ300の積層物であり、前記第1のウェブ200と前記第2のウェブ300の間に、不連続な弾性糸510が挟まれる。
【００４７】
第1のステップでは、第1のウェブ200が提供される。第1のウェブ200は、不織材料(たとえば、スパンボンド、メルトブローン、カード、水流交絡、湿式など)を含むことができる。不織材料の繊維は、天然のもの(たとえば、レーヨンまたはセルロース繊維)であっても、人工のもの(たとえば、ポリオレフィン繊維などのポリマー繊維、たとえばポリエチレンまたはポリプロピレン繊維)であってもよい。別法として第1のウェブ200は、ポリエチレンまたはポリプロピレンなどのプラスチック膜、たとえばポリオレフィン膜を含むことができる。第1のウェブ200は、2つ以上の不織層からなる積層物、または1つもしくは複数の不織層と1つもしくは複数のプラスチック膜からなる積層物をさらに含むことができる。第1のウェブ200は、10〜40g/m2の坪量を有すると適切である。第1のウェブ200は、通気性であると適切であるはずである。
【００４８】
第1のウェブ200は、機械方向(MD)の主延長部、第1の面201および第2の面202、ならびに第1の縁部203および第2の縁部204を有する。第1の縁部203および第2の縁部204は、機械方向(MD)に延びる。第1のウェブ200の第1の縁部203および第2の縁部204は通常、まっすぐであり、互いに対して平行である。第1のウェブ200は、たとえばロールから、機械方向に本質的に連続して輸送される。通常、第1のウェブ200は、交差方向(CD)に延長部を有し、この延長部は、乳児用おむつには10〜25cm、成人用失禁パンツには20〜50cm、好ましくは乳児用おむつには13〜20cm、成人用失禁パンツには30〜43cmである。
【００４９】
第2のウェブ300も提供される。第2のウェブ300は、第1のウェブ200に対して上述したのと同じ方法で、1つもしくは複数の不織材料、プラスチック膜、または2つのそのような材料からなる積層物を含むことができる。第1のウェブ200と第2のウェブ300は、同じであっても、異なってもよい。第1のウェブ200に類似の方法で、第2のウェブ300もまた、機械方向(MD)の主延長部、第1の面301および第2の面302、ならびに第1の縁部303および第2の縁部304を有し、前記第1の縁部303および前記第2の縁部304は、機械方向(MD)に延びる。第2のウェブ300の第1の縁部303および第2の縁部304は通常、まっすぐであり、互いに対して平行である。第2のウェブ300は、図1に示すように、第1のウェブ200と同じ寸法を有することができる。しかし、第2のウェブ300の交差方向(CD)の延長部は、第1のウェブ200の延長部より大きく、または小さくすることも可能であろう。第2のウェブ300は、10〜40g/m2の坪量を有すると適切である。第2のウェブ300は、通気性とするべきである。
【００５０】
第1のウェブ200の第1の面201の少なくとも一部分には、第1の接着剤250が付着される。第1の接着剤250は、図1に示すように、第1のウェブ200の第1の面201上に噴霧することができるが、他の付着方法、たとえばスロット被覆、マルチビード被覆、押出し加工、または圧延を使用することもできる。接着剤を付着させる好ましい方法は、スロット被覆である。第1の接着剤250は通常、5〜30gsm、好ましくは5〜15gsmの量で第1のウェブ200に付着される。
【００５１】
第1の接着剤250に適した接着剤は、たとえばBostikからのH4281RF、HB Fuller GmbHからのNW1002、またはNational S&CからのDispomelt 5482であろう。
【００５２】
第1の接着剤250は、第1のウェブ200の第1の面201全体に付着させることもできる。しかし、経済性のため、第1の接着剤250は、第1のウェブ200の第1の面201の一部分にのみ付着される。第1の接着剤250は、第1のウェブ200に実質上均一に付着できるが、第1の接着剤250は、弾性糸500が第1のウェブ200付着されるパターン(P)(下記参照)に対応するパターン(P)で第1のウェブ200に付着されることが好ましい。
【００５３】
前記第1のウェブ200の前記第1の面201のうち、少なくとも前記第1の接着剤250を含む部分上には、少なくとも1本の弾性糸500が付着される。弾性糸500は最終的に、パンツタイプの物品20または開放型おむつタイプの吸収性物品10の脚部弾性体を形成する。適切な弾性糸500には、たとえばPlymouth SAからのC17A(合成の弾性体、0.2mm×2mm×6のプロファイルは、最終的にプロセス内で分割される)、またはInvistaからのXA T-262P 1A216(巻き枠上に1100dtexの単一の糸、円形のプロファイル)が含まれる。本明細書では「糸」という用語を使用するが、この用語は、弾性材料の狭い帯(たとえば、幅1cm未満)を含むと解釈されるべきである。弾性糸500は、たとえばロールから、連続して供給される。第1のウェブ200に1本の弾性糸500のみを付着させることも可能であるが、2本以上、たとえば2本、3本、またはさらには4本の弾性糸500を付着させることもできる。複数の弾性糸500が使用される場合、すべての弾性糸500が実質上平行に付着されるべきである。
【００５４】
少なくとも1本の糸500は、図1に示すように、パターン(P)で付着される。パターン(P)は、吸収性物品の脚部弾性体の形に対応する。パターン(P)は、第1のウェブ200の交差方向(CD)に振動し、機械方向(MD)に延びる。パターン(P)は、図1に示すように、第1のウェブ200の第1の縁部203を覆って延びるように位置合わせされる。このようにして、前記第1のウェブ200の第1の縁部203から交差方向(CD)に突出する前記弾性糸500のループ501が形成される。図1は、波状のパターン(P)を示すが、パターン(P)は、様々な振動の形をとることができ、1つもしくは複数のまっすぐな(直線)区間、ジグザグの形、正弦波の形、またはそのようなパターン(P)の変形を含むことができる。
【００５５】
弾性糸500が第1のウェブ200に付着されると、前記第1のウェブ200の第1の縁部203から交差方向(CD)に突出するループ501は、前記第1のウェブ200の第1の縁部203に隣接して位置するループ保持手段410内に固定される。ループ保持手段410は、後の切断ステップを行うことができるように、第1の縁部203から隔置されると適切である。
【００５６】
ループ保持手段410は、ループ501を固定するように働く。後のステップで各ループ501の前縁部が切断されるとき、ループ501が単に完全に後退するのではなく、代わりに各ループの次の縁部とループ保持手段410の間で張力が維持されるように、ループ501が固定されることが重要である。
【００５７】
ループ保持手段410は、様々な形をとることができる。図1は、真空部材の形のループ保持手段410を示す。ループ501は本質的に、真空部材上に吸引され、吸引によって真空部材に固定される。ループ501を切断した後、真空は停止され、ループ501は解放される。
【００５８】
図2は、2つの部材からなる形のループ保持手段410を示す。ループ501は、これらの2つの部材間に固定される。ループ保持手段410は同様に、3つ以上の部材を含むことができ、ループ501は、これらの部材間に固定される。ループ501は本質的に、ループ保持手段410の部材間に挟まれ、次いでループ501が切断された後、部材は分離され、ループ501は解放される。
【００５９】
図3に示す実施形態では、ループ保持手段410は、前記第1のウェブ200の第1の縁部203に隣接して位置する少なくとも1本の第1の弾性ベルト401および少なくとも1本の第2の弾性ベルト402を含む。したがってループ501は、少なくとも1本の第1の弾性ベルト401と少なくとも1本の第2の弾性ベルト402の間のニップ400内に固定される。弾性ベルト401、402は、ゴム、または任意の他の適切な弾性材料から作製することができる。図3、3A、および4に示すように、一方の弾性ベルト401は、他方の弾性ベルト402内の1つまたは複数の凹部と係合できるような横断面を有することができる。この趣旨で、一方の弾性ベルト401は、図示のように、他方の弾性ベルト402内の1つまたは複数の凹部と係合できる1つまたは複数の突起を含むことができる。別法として、一方の弾性ベルト401は、たとえば円形、半円形、楕円形、三角形、または正方形であり、他方の弾性ベルト402内の1つまたは複数の凹部と係合できる横断面を有することができる。このプロファイル構成により、ベルト401、402間の密接な接触が可能であり、弾性ベルト401、402間に弾性糸500のループ501をしっかりと固定することができる。別法として、またはさらに、凹部/突起を有するために、ベルト401、402は、ループ501を確実に把持する高摩擦性の表面を含むことができる。
【００６０】
図1〜3に示すように、第2のウェブ300の第1の面301は、第1のウェブ200の第1の面201上に付着される。第1のウェブ200と第2のウェブ300は、前記少なくとも1本の弾性糸500が第1のウェブ200および第2のウェブ300それぞれの第1の面201、301間に部分的に挟まれるようにともに固定される。第1のウェブ200と第2のウェブ300は、任意の適切な手段、たとえば熱溶接、超音波溶接、または接着によって、ともに固定することができる。接着が最も好ましい。少なくとも1本の弾性糸500を第1のウェブ200に固定するために使用される第1の接着剤250を使用して、第1のウェブ200と第2のウェブ300をともに固定することもできると適切である。必要に応じて、追加の接着剤を第2のウェブ300の第1の面301および/または第1のウェブ200の第1の面201に付着させることもできる。第1のウェブ200と第2のウェブ300は、実質上重複領域全体にわたって互いに固定されると適切である。
【００６１】
第2のウェブ300の寸法は、第1のウェブ200の寸法には本質的に依存しない。同様に、第2のウェブ300が第1のウェブ200に重複する量は、当業者によって適当に選択することができる。第2のウェブ300の寸法、および第1のウェブ200と第2のウェブ300の間の重複量は、第1のウェブ200のうち弾性糸500が位置する領域全体で第2のウェブ300が第1のウェブ200に重複するような寸法および量であることが好ましい。
【００６２】
第2のウェブ300の第1の面301は(図1〜3に示すように)、第2のウェブ300の第1の縁部303が第1のウェブ200の第1の縁部203と実質上位置合わせされるように、第1のウェブ200の第1の面201上に付着されると適切である。さらに、必ずしも必要ではないが、第2のウェブ300の第1の縁部303と第2の縁部304がどちらも、それぞれ第1のウェブ200の第1の縁部203および第2の縁部204と実質上位置合わせされるように、第1のウェブ200と第2のウェブ300は実質上同じ幅を有することができる。第2のウェブ300の交差方向(CD)の延長部は、第1のウェブ200の延長部より大きく、または小さくすることも可能であろう。
【００６３】
第2のウェブ300の第1の縁部303が第1のウェブ200の第1の縁部203と実質上位置合わせされないように、第2のウェブ300を第1のウェブ200に付着させること、すなわち第2のウェブ300の第1の縁部303を第1のウェブ200の第1の縁部203から交差方向(CD)にずらすことも可能であろう。したがって、第2のウェブ300は、第1のウェブ200の第1の縁部203から外方へ交差方向に延びることができ、さらには弾性糸500のループ501と完全に重複することができる。第2のウェブ300の第1の縁部303が第1のウェブ200の第1の縁部203からずれる程度に応じて、第2のウェブ300もまた、少なくとも1本の第1の弾性ベルト401と少なくとも1本の第2の弾性ベルト402の間のニップ400内に固定することが可能であり、またはさらには必要であろう。
【００６４】
図4に示すように、
-  第1のウェブ200の第1の面201のうち、少なくとも前記第1の接着剤250を含む部分上に、少なくとも1本の弾性糸500を付着させるステップと、
-  少なくとも1本の第1の弾性ベルト401と少なくとも1本の第2の弾性ベルト402の間のニップ400内にループ501を固定するステップと、
-  前記第1のウェブ200の第1の面201上に前記第2のウェブ300の第1の面301を付着させ、前記第1のウェブ200と第2のウェブ300をともに固定するステップと
を単一のニップ400内で実質上同時に行うことができると適切である。
【００６５】
弾性糸500は、ループ保持手段のニップ410内(たとえば、第1の弾性ベルト401と第2の弾性ベルト402の間のニップ400内)に保持されたまま、弾性糸500が第1のウェブ200の第1の縁部203と交差する実質上各点で、切断手段605によって切断される。したがってループ501は、第1のウェブ200から切り離される。図3に示すように、弾性ベルト401、402は、互いから分離され、ループ501は、残りの弾性ウェブ100から除去される。真空手段630を使用して、ループ501をプロセスから除去すると適切である。
【００６６】
弾性糸500の切断は、本質的に連続して行うことができる。上述のように、第2のウェブ300の第1の縁部303が、第1のウェブ200の第1の縁部203と実質上位置合わせされる場合、弾性糸500のループ501だけが切断されるため、連続して切断することが好ましい。連続する切断はまた、第2のウェブ300が第1のウェブ200の第1の縁部203より交差方向にさらに延びる場合に使用することができ、この場合、一片の第2のウェブ300も弾性ウェブ100から切断される。
【００６７】
断続的な切断を使用して、弾性糸500を切断することもできる。この場合、弾性糸500が第1のウェブ200の第1の縁部203と交差する実質上各点だけに切れ目が作製される。第2のウェブ300が第1のウェブ200の第1の縁部203より交差方向(CD)にさらに延びる場合、断続的な切断により、交差方向(CD)の第2のウェブ300の幅全体を弾性ウェブ100内で維持することができる。したがって第2のウェブ300は、弾性糸500が第1のウェブ200の第1の縁部203と交差する各点に小さい切れ目を含むことができる。
【００６８】
切断後、不連続な弾性糸510を有する弾性ウェブ100が提供される。この弾性ウェブ100は、巻き取って保管することができ、またはすぐ使用してパンツタイプの物品20もしくは開放型おむつタイプの吸収性物品10を製作することができる。ループ保持手段410(弾性ベルト401、402など)を使用して弾性ウェブ100の製作中に弾性糸500を保持するという点で、弾性体の望ましくない切片は、プロセス中に安全に捕獲、制御、および処分される。さらに、不連続な弾性糸510の張力を制御することができ、弾性糸500がループ保持手段410によって張力を受けて保持されるため、弾性糸500の切断を精密に実行することができる。
【００６９】
したがって本発明は、本明細書に記載の方法によって製作される弾性ウェブ100、および弾性ウェブ100自体に関する。本発明の弾性ウェブ100を図1〜3に示し、図3Bに横断面で示す。弾性ウェブ100は、不連続な弾性糸510を有し、
-  機械方向(MD)の主延長部、第1の面201および第2の面202、ならびに第1の縁部203および第2の縁部204を有し、前記第1の縁部203および前記第2の縁部204が機械方向(MD)に延びる、第1のウェブ200と、
-  同じく機械方向(MD)の主延長部、第1の面301および第2の面302、ならびに第1の縁部303および第2の縁部304を有し、前記第1の縁部303および前記第2の縁部304が機械方向(MD)に延びる、第2のウェブ300とを含む。
【００７０】
前記第1のウェブ200の第1の面201の少なくとも一部分上に、第1の接着剤250が構成される。第1のウェブ200の第1の面201のうち、少なくとも前記第1の接着剤250を含む部分上には、少なくとも1本の不連続な弾性糸510が構成される。
【００７１】
前記第2のウェブ300の第1の面301は、前記第1のウェブ200の第1の面201上に重なって、積層物を形成する。第1のウェブ200と第2のウェブ300は、少なくとも1本の不連続な弾性糸510が前記第1のウェブ200および前記第2のウェブ300それぞれの第1の面201、301間に挟まれるようにともに固定される。
【００７２】
少なくとも1本の不連続な糸510は、図1〜3のように、第1のウェブ200と第2のウェブ300の間にパターン(R)で存在する。パターン(R)は、上述のパターン(P)のうち、第1のウェブ200上に位置する部分に対応する。したがってパターン(R)は、第1のウェブ200の第1の縁部203から延びて再び第1のウェブ200の第1の縁部203へ戻るループ520を形成し、したがって不連続な弾性糸510は、前記第1のウェブ200の第1の縁部203と交わる各点で終端をなす。パターン(R)の曲線は湾曲させることができるが、パターン(R)は、様々な形をとることができ、1つもしくは複数のまっすぐな(直線)区間またはそのようなパターン(R)の変形を含むことができる。パターン(R)のループ520は、各吸収性物品10またはパンツタイプの物品20が対称の軸を有するように、交差方向(CD)に位置する対称の軸を有するべきである。
【００７３】
本発明による方法では、従来技術の方法では不可能な弾性ウェブ100を形成することができる。具体的には、弾性糸500がループ保持手段410によって固定されるという点で、弾性糸500は張力を受け、それによって弾性糸500の精密な切断を実施することができる。これは、不連続な弾性糸510が前記第1のウェブ200の第1の縁部203と交わる各点で終端をなすことができることを意味する。
【００７４】
図3Aは、図3の線IIIA-IIIAに沿って切り取った初期の弾性ウェブ100の拡大横断面図であり、すなわち弾性糸500を切断する前の図である。図3Aは、第1のウェブ200、第2のウェブ300、および第1の弾性ベルト401と第2の弾性ベルト402の間に固定された弾性糸500(前記第1のウェブ200の第1の縁部203から交差方向(CD)に突出する)を示す。さらに、図3Aは、弾性糸上の確実な把持を促進する特定のプロファイルを有する弾性ベルト401、402を示す。
【００７５】
図3Bは、図3の線IIIB-IIIBに沿って切り取った弾性ウェブ100の拡大横断面図であり、すなわち弾性糸500を切断した後の図である。図3Bは、第1のウェブ200、第2のウェブ300、および第1のウェブ200と第2のウェブ300の間に積層された不連続な弾性糸510を示す。
【００７６】
本発明はまた、図5に示すように、パンツタイプの物品20を製造する方法を提供する。第1に、図1〜3の方法によって、不連続な弾性糸510を有する弾性ウェブ100が提供される。弾性ウェブ100は、機械方向(MD)に延びる第1の縁部103および第2の縁部104を有し、また不連続な弾性糸510を有する。不連続な弾性糸510は、第1のウェブ200および第2のウェブ300それぞれの第1の面201、301間に挟まれ、前記弾性ウェブ100の第1の縁部103へ延びる。
【００７７】
そのような第1および第2の弾性ウェブ100は、前記弾性ウェブ100のそれぞれの第1の縁部103が互いに最も近くに位置し、互いに対して実質上平行に位置合わせされるように、互いに隣接して隔置された関係で構成される。弾性ウェブ100の第1の縁部103は、第1のウェブ200および/または第2のウェブ300の第1の縁部203を含む縁部である。第1および第2の弾性ウェブ100は、第1の弾性ウェブ100内のそれぞれの不連続な弾性糸510が第2の弾性ウェブ100内の対応する不連続な弾性糸510に対向して位置するように同期される。これを図5に示す。
【００７８】
第1および第2の弾性ウェブ100は、図1〜3、好ましくは図3の実施形態によって、平行に製作することができる。この場合、図1〜3に示すプロセスを実施して、第1および第2の弾性ウェブ100をすぐ隣り合わせに製作してから、パンツタイプの物品20を製造する。別法として、第1および第2の弾性ウェブ100を別々に製作し、次いで互いに隣接して構成してから、パンツタイプの物品20を製造することもできる。
【００７９】
第1および第2の弾性ウェブ100は、第3の構成要素で架橋される。架橋は、所望のパンツタイプの物品の性質に応じて、複数の方法で行うことができる。
【００８０】
第1の選択肢は、第4のウェブ900を用いて第1および第2の弾性ウェブ100を結合することである。したがって第4のウェブ900は、第1および第2の弾性ウェブ100の第1の縁部103上に重なるように配置され、第1および第2の弾性ウェブ100の両方に固定される。第4のウェブ900の固定は、たとえば熱溶接、超音波溶接、または接着などの任意の知られている方法を使用して実施することができる。接着が最も好ましく、第1の接着剤250として使用されるものなどの任意の適切な接着剤を使用することができる。この選択肢は、股部層180を有するが吸収性パケット130を含まないパンツタイプの物品20を製造するために使用される。物品20について、図11に関連して以下でさらに論じる。
【００８１】
第2の選択肢は、吸収性パケット130を用いて第1および第2の弾性ウェブ100を結合することである。吸収性パケット130は通常、1つまたは複数のカバー層134によって覆われた吸収性の芯133を含む。
【００８２】
吸収性の芯133は、任意の従来の種類のものとすることができる。一般に使用される吸収性材料の例は、セルロースフラフパルプ、組織層、高吸収性ポリマー(いわゆる超吸収剤)、吸収性の発泡材料、吸収性の不織材料などである。吸収体内でセルロースフラフパルプと超吸収剤を組み合わせるのが一般的である。たとえば乳児用おむつおよび失禁ガードで一般的な薄い吸収体は、セルロースフラフパルプおよび超吸収剤を混合しまたは層状にした圧縮構造を含むことが多い。吸収性の芯の寸法および吸収容量は、乳幼児向けまたは失禁する成人向けなどの様々な用途に適するように、変動させることができる。吸収性の芯133は、身体廃棄物の取扱いを改善するように選択できる1つまたは複数の層を含むことができる。そのような層は、短い時間空間で大量の液体を受け取り、吸収性の芯133全体にわたって均一に分散させるように設計される。これらの層は、いわゆる伝達層、分配層、サージ層、または取得層を含むことができる。
【００８３】
カバー層134は、吸収性の芯133を取り囲み、吸収性の芯133の完全性および形状を維持し、弾性ウェブ100にうまく取り付ける働きをする。カバー層134はまた、吸収性の芯133に適当な液体取扱い特性を提供することができ、したがって吸収性の芯133の各面で異なると適切である。たとえば、吸収性の芯133のうち、着用者に面する面は、急速な液体の摂取を呈するカバー層134を含むことができ、吸収性の芯133のうち、着用者の衣服に面するカバー層134は、液体障壁特性を呈することができる。
【００８４】
したがって吸収性パケット130は、第1および第2の弾性ウェブ100の第1の縁部103上に重なるように配置され、第1および第2の弾性ウェブ100の両方に固定される。吸収性パケット130は、パケットの側縁部が不連続な糸510の端部に隣接して位置するように付着させることができる。吸収性パケットの固定は、たとえば熱溶接、超音波溶接、または接着などの任意の知られている方法を使用して実施することができる。接着が最も好ましく、第1の接着剤250として使用されるものなどの任意の適切な接着剤を使用することができる。
【００８５】
吸収性パケット130の設計およびその目的に応じて、パケット130は、第1および第2の弾性ウェブ100に同じ程度で重複することができ、または一方の弾性ウェブ100に他方より大きい程度で重複することができる。吸収性パケット130は、2つの隣接する不連続な弾性糸510から横方向で等距離である位置に固定される。吸収性パケット130は、不連続な弾性糸510と重複しないことが好ましいが、重複してもよい。
【００８６】
この選択肢は、吸収性パケット130を含むが股部層180を含まないパンツタイプの物品を製造するために使用される。そのような物品について、図12に関連して以下でさらに論じる。
【００８７】
第3の選択肢は、第4のウェブ900と吸収性パケット130の両方を用いて第1および第2の弾性ウェブ100を結合することである。第4のウェブ900および吸収性パケット130は、第1および第2の弾性ウェブ100の第1の縁部103上に重なるように配置され、前記第4のウェブ900および/または前記吸収性パケット130の少なくとも1つは、第1および第2の弾性ウェブ100を架橋するように、第1および第2の弾性ウェブ100の両方に固定される。第4のウェブ900と吸収性パケット130の両方が、第1および第2の弾性ウェブ100の両方に固定されると適切である。しかし、吸収性パケットを第4のウェブ900、または第1および第2の弾性ウェブ100の1つのみに固定することも可能である。この第3の選択肢は、吸収性パケット130および股部層180を含むパンツタイプの物品を製造するために使用される。そのような物品について、図13に関連して以下にさらに論じる。
【００８８】
任意選択であるが好ましいステップは、図5に示すように、一方または両方の弾性ウェブ100およびもしあれば前記第4のウェブ900から脚部領域122を切除することである。実際には、第4のウェブが存在する場合、少なくともこの第4のウェブ900から脚部領域を切除することが不可欠である。各脚部領域122は、脚部開口部121を形成するように、不連続な弾性糸510によって実質上画定される。図5には、吸収性パケット130を固定した後に行う脚部領域122の切断を示すが、吸収性パケット130を弾性ウェブ100に固定する前に切断を行うこともできる。脚部領域122の切除は、機械的手段(たとえば、ブレードまたはパンチ)、あるいはレーザ、水切断ジェット、超音波もしくは熱切断、またはこれらの組合せなどの方法によって行うことができる。ロータリーダイカッタ(RDC)の使用が、好ましい技法である。
【００８９】
図5の次のステップは、各弾性ウェブ100の第2の縁部104が互いに実質上隣接し、かつ実質上平行に構成され、第4のウェブ900が折り目の外側に位置し、かつ/または吸収性パケット130が折り目の内側に位置するように、結合させた弾性ウェブ100を折り目線(F)に沿って折り畳むことである。
【００９０】
次いで第1および第2の弾性ウェブ100は、折り畳んだ構成で、線(C)に沿って互いに結合される。前記線(C)は、各弾性ウェブ100の第2の縁部104から折り目線(F)へ実質上交差方向(CD)に延びる。線(C)は、少なくとも1本の不連続な弾性糸510が各弾性ウェブ100の第1の縁部103から最も遠くに位置する点に実質上位置する。このように形成される結合は、最終的にサイドシーム131を形成する。結合は、接着、熱もしくは超音波溶接、または当技術分野では周知の任意の一般的な方法によって行うことができる。
【００９１】
次いで各弾性ウェブ100およびもしあれば第4のウェブ900は、第1および第2の弾性ウェブ100が切れ目の両側で結合されたままになるように、線(C)に沿って切断される。実質上交差方向(CD)に延びる線(C)に沿って切断することで、弾性ウェブ100内で個々のパンツタイプの物品20を互いから分離する。それによって、パンツタイプの物品20が製作される。
【００９２】
上述の製造プロセス中の任意の時点で、パンツタイプの物品20に追加の材料層を追加することができる。たとえば、着用者の皮膚に面する側では、パンツタイプの物品20に不織物または不織積層物を含む上部シートを追加することができる。着用者の衣服に面する側では、パンツタイプの物品20に液体不浸透性の裏面シートを追加することができる。
【００９３】
本発明のパンツタイプの物品20は、ウエスト弾性体135、身体弾性体137、および立体ギャザー136などの追加の構成要素を含むことができる。そのような構成要素を付着させるのに適した方法は、当業者には知られている。
【００９４】
本発明はまた、開放型おむつ、いわゆる「オールインワン」のおむつの形で吸収性物品10を製造する方法に関する。この方法を図6に示す。
【００９５】
上記のように、パンツタイプの物品20の場合、吸収性物品10を製造する方法の第1のステップは、弾性ウェブ100を提供することであり、弾性ウェブ100は、機械方向(MD)に延びる第1の縁部103および第2の縁部104を有する。前記弾性ウェブ100はまた、不連続な弾性糸510を有し、不連続な弾性糸510は、第1のウェブ200および第2のウェブ300それぞれの第1の面201、301間に挟まれ、前記弾性ウェブ100の第1の縁部103へ延びる。
【００９６】
そのような第1および第2の弾性ウェブ100は、前記弾性ウェブ100のそれぞれの第1の縁部103が互いに最も近くに位置し、互いに対して実質上平行に位置合わせされるように、互いに隣接して隔置された関係で構成される。第1および第2の弾性ウェブ100は、第1の弾性ウェブ100内のそれぞれの不連続な弾性糸510が第2の弾性ウェブ100内の対応する不連続な弾性糸510に対向して位置するように同期される。これを図6に示す。
【００９７】
第1および第2の弾性ウェブ100は、図1〜3、好ましくは図3の実施形態によって、平行に製作することができる。この場合、図1〜3に示すプロセスを実施して、第1および第2の弾性ウェブ100をすぐ隣り合わせに製作してから、吸収性物品10を製造する。別法として、第1および第2の弾性ウェブ100を別々に製作し、次いで互いに隣接して構成してから、吸収性物品10を製造することもできる。
【００９８】
第1および/または第2の弾性ウェブ100の少なくとも一部分上に重なるように、吸収性パケット130が配置される。吸収性パケット130は、第1および第2の弾性ウェブ100の両方に固定しても、前記弾性ウェブ100の一方にのみ固定してもよい。第4のウェブ900が存在しない場合、第1および第2の弾性ウェブ100を架橋するように、第1および第2の弾性ウェブ100の両方に吸収性パケット130を固定するべきである。吸収性パケットの固定は、たとえば熱溶接、超音波溶接、または接着などの任意の知られている方法を使用して実施することができる。接着が最も好ましく、第1の接着剤250として使用されるものなどの任意の適切な接着剤を使用することができる。吸収性パケット130の性質および形は、上述のとおりである。
【００９９】
望ましい場合、第1および第2の弾性ウェブ100の第1の縁部103上に重なるように、第4のウェブ900も配置される。前記第4のウェブ900および/または前記吸収性パケット130の少なくとも1つは、第1および第2の弾性ウェブ100の両方に固定される。第4のウェブ900と吸収性パケット130の両方を、第1および第2の弾性ウェブ100の両方に固定することもできる。少なくとも第4のウェブ900は、第1および第2の弾性ウェブ100の両方に固定されることが好ましい。第4のウェブが存在する場合、図18に示すように、股部層180を有する吸収性物品10が製作される。そのような物品については、図18に関連して以下でさらに論じる。第4のウェブ900が存在しない場合、図19に示すように、股部層180をもたない吸収性物品10が製作される。そのような物品については、図19に関連して以下でさらに論じる。
【０１００】
次いで、前記第4のウェブ900ならびに任意選択で前記第1および/または第2の弾性ウェブ100の脚部領域122が切除される。各脚部領域122は、不連続な弾性糸510によって前記弾性ウェブ100内で実質上画定される。
【０１０１】
次いで、結合させた弾性ウェブ100およびもしあれば第4のウェブ900が、線(C)に沿って切断される。前記線(C)は、一方の弾性ウェブ100の第2の縁部104から他方の弾性ウェブ100の第2の縁部104へ実質上交差方向(CD)に延びる。前述のように、パンツタイプの物品の場合、線(C)は、少なくとも1本の不連続な弾性糸510が各弾性ウェブ100の第1の縁部103から最も遠くに位置する点に実質上位置する。
【０１０２】
次いで、前記第1および第2の弾性ウェブ100の少なくとも1つの上に、締付け手段132が提供される。締付け手段132は、吸収性物品10の外側の面に位置すると適切である。締付け手段132は、フックアンドループ式の締付け手段または接着式の締付け手段を含むことができる。第1の弾性ウェブ100上に、締付け手段132の1つの構成要素(たとえば、フック構成要素)を提供することができ、第2の弾性ウェブ100上に、対応する構成要素(たとえば、ループ構成要素)を提供することができる。別法として、弾性ウェブ100自体に締付け手段132を取り付けることも可能である(たとえば、弾性ウェブ100を構成する不織材料にフック式の締付け手段を取り付けることができ、または弾性ウェブ100を構成するプラスチック膜に接着式の締付け手段を取り付けることができる)。この場合、1つの弾性ウェブ100上にのみ締付け手段132が提供されると十分であろう。締付け手段132の性質、おむつ内での位置、および適切な提供方法は、当業者には知られている。
【０１０３】
本発明の吸収性物品10は、ウエスト弾性体135、身体弾性体137、および立体ギャザー136などの追加の構成要素を含むことができる。そのような構成要素を付着させるのに適した方法は、当業者には知られている。
【０１０４】
本発明はまた、図1〜3に示す実施形態による不連続な弾性糸510を有する弾性ウェブ100を製造する装置600を提供する。
【０１０５】
装置600を図4に概略的に示す。装置600は、
前記第1のウェブ200を供給する第1のウェブ供給手段601と、
前記第2のウェブ300を供給する第2のウェブ供給手段602と、
前記少なくとも1本の弾性糸500を供給する弾性糸供給手段603と、
前記第1の接着剤250を供給する接着剤供給手段604と、
前記少なくとも1本の弾性糸500を切断する弾性体切断手段605とを備える。
【０１０６】
第1のウェブ供給手段601は通常、第1のウェブ200の供給部(たとえば、ロール)と、前記第1のウェブ200を機械方向に送出するように適合された手段とを備える。第1のウェブ供給手段601は、回転胴、ベルト、ロッド、張力調整手段などの任意の適切な組合せを備えることができる。同様に、第2のウェブ供給手段602は通常、第2のウェブ300の供給部(たとえば、ロール)と、前記第2のウェブ300を機械方向に送出するように適合された手段とを備える。第2のウェブ供給手段602は、回転胴、ベルト、ロッド、張力調整手段などの任意の適切な組合せを備えることができる。
【０１０７】
接着剤供給手段604は、前記第1のウェブ200の第1の面201の少なくとも一部分に第1の接着剤250を付着させるように構成される。接着剤供給手段604は通常、スロットコータ、ローラ、噴霧器などを含む。接着剤供給手段604は、第1のウェブ200の第1の面201に第1の接着剤250をパターン(P)で付着できるように、交差方向に往復運動することができる。接着剤供給手段604は、接着剤をパターンで付着できるように、いくつかの交差方向の区間に分割することができる。
【０１０８】
弾性糸供給手段603は、第1のウェブ200の第1の面201のうち、少なくとも前記第1の接着剤250を含む部分上に、少なくとも1本の弾性糸500を付着させるように構成される。ガイドフィンガが適切な弾性糸供給手段であり、交差方向に往復運動できる細長い部材を備える。
【０１０９】
弾性糸供給手段603は、少なくとも1本の糸500をパターン(P)で付着させる。パターン(P)は、交差方向(CD)に振動し、機械方向(MD)に延びる。パターン(P)は、図1〜3のように、第1のウェブ200の第1の縁部203を覆って延び、前記第1のウェブ200の前記第1の縁部203から交差方向(CD)に突出する弾性糸500のループ501を形成する。
【０１１０】
第2のウェブ供給手段602は、前記第1のウェブ200の第1の面201上に第2のウェブ300の第1の面301を付着させ、前記少なくとも1本の弾性糸500が第1のウェブ200および第2のウェブ300それぞれの第1の面201、301間に部分的に挟まれるように、前記第1のウェブ200と前記第2のウェブ300をともに固定するように構成される(図4参照)。
【０１１１】
図4では、弾性体切断手段605を回転式の円形ブレードとして示すが、他のタイプの切断手段も適していることがある(たとえば、固定式のブレード、レーザ切断、超音波切断)。上述のように、切断は、連続して行っても、断続的に行ってもよい。連続する切断は、回転式の円形ブレード(図4のように)または固定式のブレードによって実行することができる。断続的な切断は、弾性糸500へ近づいたり離れたり断続的に動く回転式の円形ブレードまたは固定式のブレードによって実施することができる。別法として、断続的な切断は、凸状の切断する部分と凹状の切断しない部分とを有する回転式のブレードによって実施することができる。断続的な切断プロセスには、実質上弾性糸500が存在する点でのみ切断が行われるように、切断動作を同期させることが重要である。
【０１１２】
弾性体切断手段605は、各弾性糸500が前記第1のウェブ200の第1の縁部203と交差する点で実質上すべての弾性糸500を切断するように構成される。このようにして、ループ501が第1のウェブ200から切り離される。
【０１１３】
装置600は、前記第1のウェブ200の第1の縁部203に隣接して位置するループ保持手段410をさらに備え、ループ保持手段410は、前記ループ保持手段410内でループ501を固定するように適合される。ループ保持手段410は、後の切断ステップを行うことができるように、第1の縁部203から隔置されると適切である。ループ保持手段410は、図1〜3に関連して上述した任意のループ保持手段とすることができる。
【０１１４】
図4に示す実施形態では、ループ保持手段410は、前記第1のウェブ200の第1の縁部203に隣接して(すなわち、外側に)位置する少なくとも1本の第1の弾性ベルト401および少なくとも1本の第2の弾性ベルト402を含む。様々な数の弾性ベルト401、402の組合せを使用することができる。弾性ベルト401、402は、ゴム、または任意の他の適切な弾性材料から作製することができる。第2のベルト402に対して図4に示すプロファイルを有する適切なベルトは、商標Correx、Beige、またはPolythan GrunでAbatron AB, Bromma, Swedenから得ることができる。円形のプロファイルを有する適切なベルトは、商標Polycord R8でHabasit AB, Hindas, Swedenから得ることができる。弾性ベルト401、402は通常、第1のウェブ200の第1の縁部203から1〜10cmの距離のところに位置する。
【０１１５】
弾性ベルト401、402は、前記少なくとも1本の第1の弾性ベルト401と前記少なくとも1本の第2の弾性ベルト402の間のニップ400内にループ501を固定するように適合される。これは、ループ501が弾性ベルト401、402の実質上平坦な面の間に固定され、摩擦によって定位置に保持されるという点で、行うことができる。しかし、図3および4に示すように、弾性ベルト401、402は、一方の弾性ベルトが他方の弾性ベルトの1つまたは複数の凹部と係合するようなプロファイルとすることもできる。このプロファイル構成により、ベルト401、402間の密接な接触が可能になり、弾性ベルト401、402間に弾性糸500のループ501をしっかりと固定することができる。図3および4には、一方の弾性ベルト上の1つの突起が他方の弾性ベルト内の1つの凹部と係合する簡単なプロファイル構成を示すが、当業者であれば各弾性ベルトのプロファイルを変更することができる(たとえば、一方のベルト上の2つの突起が他方のベルト内の2つの凹部と係合し、または一方のベルトが、他方の弾性ベルト内の凹部と係合できる横断面(たとえば、円形、半円形、三角形など)を有する)。別法として、またはさらに、凹部/突起を有するために、ベルト401、402は、ループ501を確実に把持する高摩擦性の表面を含むことができる。
【０１１６】
図4に示すように、第1のウェブ200と第2のウェブ300は、単一のニップ400内でともに固定することができる。ニップ400は、ウェブ供給手段601、602の2つの回転胴間に形成される。第1のウェブ200、第2のウェブ300、弾性糸500、および弾性ベルト401、402は、このニップ400内でともに合わさり、それによって好都合かつ効果的な方法で、これらの構成要素をともに固定する。
【０１１７】
同じく図4に示すように、第1のウェブ供給手段601、第2のウェブ供給手段602、少なくとも1本の弾性糸500を供給する弾性糸供給手段603、接着剤供給手段604、切断手段605、ならびに少なくとも1本の第1の弾性ベルト401および少なくとも1本の第2の弾性ベルト402は、単一の中心回転胴620の周辺に構成されると適切である。しかし、これらの構成要素の他の構成(たとえば、直線)も可能である。
【０１１８】
上述の装置600は、パンツタイプの物品20を製造するのに適したものにする追加の構成要素を備えることができる。パンツタイプの物品20を製造する装置を、図5に概略的に示す。この場合、装置600は、
-  第1および第2の弾性ウェブ100を供給する弾性ウェブ供給手段606と、
-  第4のウェブ900を供給する第4のウェブ供給手段616および/または吸収性パケット130を供給する吸収性パケット供給手段618と、
-  脚部領域122を切除する脚部領域切断手段608と、
-  結合させた弾性ウェブ100を折り畳む折畳み手段617と、
-  第1および第2の弾性ウェブ100を結合する結合手段614と、
-  弾性ウェブ100およびもしあれば第4のウェブ900を切断する弾性ウェブ切断手段609とをさらに備える。
【０１１９】
弾性ウェブ供給手段606は、前記弾性ウェブ100のそれぞれの第1の縁部103が互いに最も近くに位置し、互いに対して実質上平行に位置合わせされるように、互いに隣接して隔置された関係で第1および第2の弾性ウェブ100を提供するように構成される。弾性ウェブ供給手段606は通常、第1および第2の弾性ウェブ100の供給部(たとえば、ロール)と、前記ウェブ100を機械方向に送出するように適合された手段とを備える。弾性ウェブ供給手段606は、回転胴、ベルト、ロッド、ウェブテンショナなどの任意の適切な組合せを備えることができる。第1および第2の弾性ウェブ100は、第1の弾性ウェブ100内のそれぞれの不連続な弾性糸510が第2の弾性ウェブ100内の対応する不連続な弾性糸510に対向して位置するように同期される。
【０１２０】
第1および第2の弾性ウェブ100は、平行に製作することができる。この場合、図1〜3に示すプロセスを実施して、第1および第2の弾性ウェブ100をすぐ隣り合わせに製作してから、パンツタイプの物品20を製造する。別法として、第1および第2の弾性ウェブ100を別々に製作し、次いで互いに隣接して構成してから、パンツタイプの物品20を製造することもできる。第1および第2の弾性ウェブ100は同一である必要はなく、交差方向(CD)の幅または不連続な弾性糸510の構成が異なってもよい。
【０１２１】
パンツタイプの物品20が股部層180を含む場合、装置600は、第4のウェブ供給手段616を備える。第4のウェブ供給手段616は、第1および第2の弾性ウェブ100の第1の縁部103上に重なるように第4のウェブ900を配置するように、そして第1および第2の弾性ウェブ100の両方に前記第4のウェブ900を固定するように構成される。第4のウェブ供給手段616は通常、第4のウェブ900の供給部(たとえば、このウェブのロール)と、前記ウェブ900を機械方向に送出するように適合された手段とを備える。第4のウェブ供給手段616は、回転胴、ベルト、ロッド、ウェブテンショナなどの任意の適切な組合せを備えることができる。
【０１２２】
パンツタイプの物品20が吸収性パケット130を含む場合、装置600は、吸収性パケット供給手段618を備える。吸収性パケット供給手段618は、第1および第2の弾性ウェブ100の第1の縁部103上に重なるように吸収性パケット130を配置するように、そして第1または第2の弾性ウェブ100の少なくとも1つに前記吸収性パケット130を固定するように構成される。このようにして、第4のウェブ900および/または吸収性パケット130の少なくとも1つは、第1および第2の弾性ウェブ100を架橋するように、第1および第2の弾性ウェブ100の両方に固定される。吸収性パケット供給手段618は通常、吸収性パケット130の供給部(たとえば、スタックまたはロール)と、吸収性パケット130を第1および第2の弾性ウェブ100上へ送出するように構成された回転胴、ベルト、ロッドなどの任意の適切な組合せとを備える。
【０１２３】
吸収性パケット130は、第1および第2の弾性ウェブ100の両方に固定されると適切であるが、第4のウェブ900が存在して弾性ウェブ100を架橋する場合、弾性ウェブ100の1つまたは第4のウェブ900にのみ固定することもできる。吸収性パケットの固定は、たとえば熱溶接、超音波溶接、または接着などの任意の知られている方法を使用して実施することができる。接着が最も好ましく、第1の接着剤250として使用されるものなどの任意の適切な接着剤を使用することができる。したがって吸収性パケット供給手段618は、吸収性パケット130を弾性ウェブ100に固定する手段を備える。
【０１２４】
図5に示す脚部領域切断手段608は、一方または両方の弾性ウェブ100およびもしあれば前記第4のウェブ900の脚部領域122を切除するように構成される。各脚部領域122は、脚部開口部121を形成するように、それぞれの弾性ウェブ100内の不連続な弾性糸510によって実質上画定される。脚部領域切断手段608は、機械的手段(たとえば、ブレードまたはパンチ)、あるいはレーザ、超音波もしくは熱切断手段、ロータリーダイカッタ、またはこれらの組合せなどの他の切断手段を備えることができる。脚部領域切断手段608は、装置600内で吸収性パケット供給手段618の前に構成しても、後に構成してもよい。同様に、脚部領域切断手段608は、折畳み手段617の前に構成しても、後に構成してもよい。
【０１２５】
図5に示す折畳み手段617は、各弾性ウェブ100の第2の縁部104が互いに実質上隣接し、かつ実質上平行に構成されるように、結合させた弾性ウェブ100を折り目線(F)に沿って折り畳むように構成される。吸収性パケット130は、折り目の内側に位置する。折畳み手段617は、往復運動部材または回転部材(たとえば、アームまたはドラム)、ウェブガイド(たとえば、金属シートまたはロッド)、ベルトなどの任意の適切な組合せを含むことができる。
【０１２６】
図5に示す結合手段614は、第1および第2の弾性ウェブ100を互いに線(C)に沿って結合するように構成される。線(C)は、各弾性ウェブ100の第2の縁部104から折り目線(F)へ実質上交差方向(CD)に延び、少なくとも1本の不連続な弾性糸510が各弾性ウェブ100の第1の縁部103から最も遠くに位置する点に実質上位置する。線(C)に沿った結合は、初期のパンツタイプの物品20内にサイドシーム131を形成する。結合は、接着、熱もしくは超音波溶接、または当技術分野では周知の任意の一般的な方法によって行うことができる。
【０１２７】
図5では、弾性ウェブ切断手段609が、第1および第2の弾性ウェブ100が切れ目の両側で結合されたままになるように、各弾性ウェブ100およびもしあれば第4のウェブ900を線(C)に沿って切断するように構成される。線(C)が第4のウェブ900と交差する場合、第4のウェブ900を切断することもできる。このようにして、個々のパンツタイプの物品20が製作される。
【０１２８】
本発明のパンツタイプの物品20は、ウエスト弾性体135、身体弾性体137、および立体ギャザー136などの追加の構成要素を含むことができる。そのような構成要素を付着させるのに適した方法は、当業者には知られている。
【０１２９】
開放型おむつの形で吸収性物品10を製造するには、図6に示すように、装置600は、
-  第1および第2の弾性ウェブ100を供給する弾性ウェブ供給手段606と、
-  吸収性パケット130を供給する吸収性パケット供給手段618と、
-  任意選択で、第4のウェブ900を供給する第4のウェブ供給手段616と、
-  脚部領域122を切除する脚部領域切断手段608と、
-  弾性ウェブ100およびもしあれば第4のウェブ900を切断する弾性ウェブ切断手段609と、
-  締付け手段132を供給する締付け供給手段615とを備える。
【０１３０】
前述のように、弾性ウェブ供給手段606は、前記弾性ウェブ100のそれぞれの第1の縁部103が互いに最も近くに位置し、互いに対して実質上平行に位置合わせされるように、第1および第2の弾性ウェブ100を互いに隣接して隔置された関係で提供するように構成される。第1および第2の弾性ウェブ100は、第1の弾性ウェブ100内のそれぞれの不連続な弾性糸510が第2の弾性ウェブ100内の対応する不連続な弾性糸510に対向して位置するように同期される。
【０１３１】
吸収性パケット供給手段618は、第1および第2の弾性ウェブ100の少なくとも一部分上に重なるように吸収性パケット130を配置するように構成される。吸収性パケット供給手段618はまた、前記第1および第2の弾性ウェブ100の少なくとも1つに、またはもしあれば第4のウェブ900に、吸収性パケット130を固定するように適合される。
【０１３２】
吸収性物品10が股部層180を含む場合、装置600は、第4のウェブ供給手段616を備える。第4のウェブ供給手段616は、第1および第2の弾性ウェブ100の第1の縁部103上に重なるように第4のウェブ900を配置するように構成される。前記第4のウェブ900および/または前記吸収性パケット130の少なくとも1つは、第1および第2の弾性ウェブ100を架橋するように、第1および第2の弾性ウェブ100の両方に固定される。
【０１３３】
脚部領域切断手段608は、一方または両方の弾性ウェブ100およびもしあれば前記第4のウェブ900の脚部領域122を切除するように構成される。各脚部領域122は、脚部開口部121を形成するように、それぞれの弾性ウェブ100内の不連続な弾性糸510によって実質上画定される。
【０１３４】
弾性ウェブ切断手段609は、結合させた弾性ウェブ100およびもしあれば第4のウェブ900を線(C)に沿って切断するように構成される。線(C)は、一方の弾性ウェブ100の第2の縁部104から他方の弾性ウェブ100の第2の縁部104へ実質上交差方向CDに延び、少なくとも1本の不連続な弾性糸510が各弾性ウェブ100の第1の縁部103から最も遠くに位置する点に実質上位置する。
【０１３５】
締付け供給手段615は、前記第1および第2の弾性ウェブ100の少なくとも1つの上に締付け手段132を提供するように構成される。締付け供給手段615は、締付け手段132の供給部(たとえば、ロールまたはスタック)と、締付け手段132を初期の吸収性物品10へ送出する手段(たとえば、ニップ、回転胴、またはベルト)と、締付け手段615を物品10に結合する手段とを備える。締付け手段132は、溶接または接着を用いて吸収性物品10に結合することができる。締付け手段132については、上記でより詳細に論じた。
【０１３６】
本発明の吸収性物品10は、ウエスト弾性体135、身体弾性体137、および立体ギャザー136などの追加の構成要素を含むことができる。そのような構成要素を付着させるのに適した方法は、当業者には知られている。
【０１３７】
図7に示す第2の実施形態では、本発明は、不連続な弾性糸510、511を有する弾性ウェブ140を製造する方法を提供する。この第2の実施形態では、第1の実施形態のように、弾性ウェブ140は、第1のウェブ200および第2のウェブ300の積層物を含み、前記第1のウェブ200と前記第2のウェブ300の間には、不連続な弾性糸510が挟まれる。第2のウェブ300の異なる部分上には、第3のウェブ700が積層され、前記第3のウェブ700と前記第2のウェブ300の間には、不連続な弾性糸511が挟まれる。
【０１３８】
第1のウェブ200が提供され、第1のウェブ200は、機械方向(MD)の主延長部、第1の面201および第2の面202、ならびに第1の縁部203および第2の縁部204を有し、前記第1の縁部203および前記第2の縁部204は、機械方向(MD)に延びる。第2のウェブ300も提供され、第2のウェブ300もまた、機械方向(MD)の主延長部、第1の面301および第2の面302、ならびに第1の縁部303および第2の縁部304を有し、前記第1の縁部303および前記第2の縁部304は、機械方向(MD)に延びる。
【０１３９】
第3のウェブ700も提供され、前記第3のウェブ700は、機械方向(MD)の主延長部、第1の面701および第2の面702、ならびに第1の縁部703および第2の縁部704を有し、前記第1の縁部703および前記第2の縁部704は、機械方向(MD)に延びる。第2のウェブ300の交差方向(CD)の延長部は通常(必ずしも必要ではないが)、第1のウェブ200と第3のウェブ700の交差方向(CD)の延長部を組み合わせたものに等しく、またはそれより大きい。図7は、第2のウェブ300の交差方向(CD)の延長部が、第1のウェブ200と第3のウェブ700の交差方向(CD)の延長部を組み合わせたものに、前記第1のウェブ200と前記第3のウェブ700の間の間隔(すなわち、「股部間隙」)を加えた和に実質上等しいことを示す。
【０１４０】
第1のウェブ200および第3のウェブ700の材料は、上記の第1のウェブ200に対して提示した任意の材料から選択することができる。同様に、第2のウェブ300の材料は、上記の第2のウェブ300に対して提示した任意の材料から選択することができる。第1のウェブ200と第3のウェブ700を同じウェブから作り、それを分割して第1のウェブ200と第3のウェブ700にすることも可能であろう。
【０１４１】
第3のウェブ700は、第1のウェブ200および第3のウェブ700それぞれの第1の縁部203、703が隣接するように、前記ウェブ200、700の第1の面201、701が同じ方向を向く隔置された構成で、前記第1のウェブ200に隣接して実質上平行に位置する構成される。これは、第1のウェブ200および第3のウェブ700を平行に構成してから接着剤および/または弾性糸を付着させることによって実現することができる。実際には、第1のウェブ200および第3のウェブ700は、同じ装置によって平行に処理することができる。第1のウェブ200および第3のウェブ700は、同じ単一のウェブ(図示せず)から作ることもでき、このウェブを機械方向に分割して、平行の第1のウェブ200および第3のウェブ700を提供する。別法として、第1のウェブ200と第3のウェブ700をこの時点までは別個に処理し、以下のステップで第2のウェブ300が付着される直前に適当に位置合わせすることもできる。
【０１４２】
第1のウェブ200および第3のウェブ700は、隣接して実質上平行に構成されるという点で、第2のウェブ300に固定されたときに重複しない。実際には、第2のウェブ300は、第1のウェブ200と第3のウェブ700の間の空間を交差方向(CD)に架橋し、それによって弾性ウェブ140を作製する。したがって第2のウェブ300は、第1の弾性ベルト401、第2の弾性ベルト402、第3の弾性ベルト403、および第4の弾性ベルト404の間のニップ400内で固定することができる(図8参照)。
【０１４３】
第1の実施形態に類似の方法では、前記第1のウェブ200の第1の面201の少なくとも一部分に、第1の接着剤250が付着される。別法として、第1の接着剤250は、第2のウェブ300の第1の面301の少なくとも一部分に付着される。
【０１４４】
同様に、前記第3のウェブ700の第1の面701の少なくとも一部分に、第2の接着剤260が付着される。別法として、第2の接着剤260は、第2のウェブ300の第1の面301の少なくとも一部分に付着される。第1の接着剤250と第2の接着剤260がどちらも第2のウェブ300に付着される場合、第1の接着剤250と第2の接着剤260は、重複しないように、第2のウェブ300の異なる領域に付着されると適切であるはずである。第1の接着剤250および第2の接着剤260は、交差方向CDに互いに隣接して第2のウェブ300に付着されることが好ましい。第1の接着剤250および第2の接着剤260は、上記の第1の接着剤250に対して提示した接着剤のいずれかから選択することができ、同じ接着剤を含むことができる。前記接着剤250、260に対する付着手段もまた、上述の任意の手段から選択することができる。
【０１４５】
前記第1のウェブ200の前記第1の面201または前記第2のウェブ300の前記第1の面301のうち、少なくとも前記第1の接着剤250を含む部分上に、少なくとも1本の第1の弾性糸500が付着される。第1の弾性糸500の性質および特徴は、第1の実施形態に関連して上記で提示した弾性糸500のものに対応する。第1のウェブ200に1本の弾性糸500のみを付着させることも可能であるが、2本以上、たとえば2本、3本、またはさらには4本の弾性糸500を付着させることもできる。複数の弾性糸500が使用される場合、すべての弾性糸500が実質上平行に付着されるべきである。少なくとも1本の第1の糸500は、第1のパターン(P1)で付着される。前記第1のパターン(P1)は、交差方向(CD)に振動し、機械方向(MD)に延びる。
【０１４６】
第1のウェブ200の場合と同じ方法で、前記第3のウェブ700の前記第1の面701または前記第2のウェブ300の前記第1の面301のうち、少なくとも前記第2の接着剤260を含む部分上に、少なくとも1本の第2の弾性糸502が付着される。第2の弾性糸502はさらに、ニップの前(またはニップ内)で第2のウェブ300に付着させることもできる。少なくとも1本の第2の弾性糸502は、第2のパターン(P2)で付着される。前記第2のパターン(P2)は、交差方向(CD)に振動し、機械方向(MD)に延びる。
【０１４７】
第1のウェブ200の第1の面201上には、第2のウェブ300の第1の面301の一部分が付着され、第1のウェブ200と第2のウェブ300は、少なくとも1本の第1の弾性糸500が第1のウェブ200および第2のウェブ300それぞれの第1の面201、301間に部分的に挟まれるようにともに固定され、したがって第1のパターン(P1)は、第1のウェブ200の第1の縁部203を覆って延び、前記第1のウェブ200の前記第1の縁部203から交差方向(CD)に突出する前記第1の弾性糸500の第1のループ501を形成する。図7を参照されたい。図7は、波状のパターン(P1)を示すが、第1のパターン(P1)は、様々な振動の形をとることができ、1つもしくは複数のまっすぐな(直線)区間、ジグザグの形、正弦波の形、またはそのようなパターンの変形を含むことができる。
【０１４８】
同様に、第3のウェブ700の第1の面701上には、第2のウェブ300の第1の面301の一部分が付着され、第3のウェブ700と第2のウェブ300は、少なくとも1本の第2の弾性糸502が第2のウェブ300および第3のウェブ700それぞれの第1の面301、701間に部分的に挟まれるようにともに固定され、したがって第2のパターン(P2)は、第3のウェブ700の第1の縁部703を覆って延び、前記第3のウェブ700の前記第1の縁部703から交差方向(CD)に突出する前記第2の弾性糸502の第2のループ503を形成する。図7を参照されたい。図7は、本質的に波状のパターン(P2)を示すが、第2のパターン(P2)は、様々な振動の形をとることができ、1つもしくは複数のまっすぐな(直線)区間、ジグザグの形、正弦波の形、またはそのようなパターンの変形を含むことができる。第2のパターン(P1)は、第1のパターン(P1)と同じ形をとることができるが、第2のパターン(P2)は、第1のパターン(P1)とは異なることが好ましい。
【０１４９】
弾性糸500、502が第1のウェブ200および第3のウェブ700上で作製する第1のパターン(P1)と第2のパターン(P2)は、図7に示すように同期される。同期は、第1の弾性糸500が第1のウェブ200の第1の縁部203から最も遠くに位置する機械方向(MD)の点が、第2の弾性糸502が第3のウェブ700の第1の縁部703から最も遠くに位置する機械方向(MD)の点に実質上対応するように行われる。言い換えれば、第1のパターンP1と第2のパターンP2は、同じ反復頻度を有し、機械方向に繰り返し交わったり分岐したりする。
【０１５０】
前記第1の弾性糸500の第1のループ501は、前記第1のウェブ200の第1の縁部203に隣接して位置する第1のループ保持手段410内で固定される。第1のループ保持手段410は、図1〜3に関連して上記で論じた任意の形をとることができる。しかし、図7では、第1のループ保持手段410は、前記第1のウェブ200の第1の縁部203に隣接して位置する少なくとも1本の第1の弾性ベルト401および少なくとも1本の第2の弾性ベルト402を含む。第1の弾性ベルト401および第2の弾性ベルト402の性質および特徴は、第1の実施形態に対して上記で提示したものに対応する。
【０１５１】
第1のループ501に類似の方法では、第2のループ503は、前記第1のウェブ200の第1の縁部203に隣接して位置する第2のループ保持手段411内で固定される。この場合も、第1のループ保持手段410に依存することなく、第2のループ保持手段411は、図1〜3に関連して上記で論じた任意の形をとることができる。しかし、図7では、第2のループ保持手段411は、前記第3のウェブ700の第1の縁部703に隣接して位置する少なくとも1本の第3の弾性ベルト403および少なくとも1本の第4の弾性ベルト404の形をとる。第3の弾性ベルト403および第4の弾性ベルト404の性質および特徴は、第1の実施形態に対して上記で提示したものに対応する。さらには、単一の広い弾性ベルトが第3の弾性ベルト403および第1の弾性ベルト401を構成し、単一の広い弾性ベルトが第4の弾性ベルト404および第2の弾性ベルト402を構成することも可能である。言い換えれば、4本の別個の弾性ベルトの代わりに、1対の広い弾性ベルトを使用して、すべてのループ501、503を捕獲する。この場合、広い弾性ベルトは、横断方向の縁部でプロファイル構成を含むことが適している。
【０１５２】
すべての第1の弾性糸500は、ループ501が第1のウェブ200から切り離されるように、それぞれの第1の弾性糸500が前記第1のウェブ200の第1の縁部203と交差する点で実質上切断される。同様に、すべての第2の弾性糸502は、ループ503が第3のウェブ700から切り離されるように、それぞれの第2の弾性糸502が前記第3のウェブ700の第1の縁部703と交差する点で実質上切断される。第1の弾性糸500または第2の弾性糸502の切断は、初期の弾性ウェブ140から第2のウェブ300を完全に除去しないように、断続的なものとするべきである。第1の実施形態に対して上記で提示した断続的な切断ステップの詳細は、この実施形態にも関連している。このようにして、不連続な弾性糸510、511を有する弾性ウェブ140が提供される。
【０１５３】
第1の実施形態の方法と同様に、
-  前記第1のウェブ200の第1の面201の少なくとも一部分または第2のウェブ300の第1の面301の少なくとも一部分に第1の接着剤250を付着させるステップと、
-  前記第3のウェブ700の第1の面701の少なくとも一部分または第2のウェブ300の第1の面301の少なくとも一部分に第2の接着剤260を付着させるステップと、
-  前記第1のウェブ200の前記第1の面201または前記第2のウェブ300の前記第1の面301のうち、少なくとも前記第1の接着剤250を含む部分上に、少なくとも1本の第1の弾性糸500を付着させるステップと、
-  前記第3のウェブ700の前記第1の面701または前記第2のウェブ300の前記第1の面301のうち、少なくとも前記第2の接着剤260を含む部分上に、少なくとも1本の第2の弾性糸502を付着させるステップと、
-  前記第1のウェブ200の第1の面201上に前記第2のウェブ300の第1の面301の一部分を付着させ、前記少なくとも1本の第1の弾性糸500が第1のウェブ200および第2のウェブ300それぞれの第1の面201、301間に部分的に挟まれるように、前記第1のウェブ200と前記第2のウェブ300をともに固定するステップであり、したがって第1のパターンP1が、第1のウェブ200の第1の縁部203を覆って延び、前記第1のウェブ200の前記第1の縁部203から交差方向CDに突出する前記第1の弾性糸500の第1のループ501を形成する、ステップと、
-  前記第3のウェブ700の第1の面701上に前記第2のウェブ300の第1の面301の一部分を付着させ、前記少なくとも1本の第2の弾性糸502が第2のウェブ300および第3のウェブ700それぞれの第1の面301、701間に部分的に挟まれるように、前記第3のウェブ700と前記第2のウェブ300をともに固定するステップであり、したがって第2のパターン(P2)が、第3のウェブ700の第1の縁部703を覆って延び、前記第3のウェブ700の前記第1の縁部703から交差方向(CD)に突出する前記第2の弾性糸502の第2のループ503を形成し、したがって第1の弾性糸(500)が第1のウェブ(200)の第1の縁部203から最も遠くに位置する機械方向(MD)の点が、第2の弾性糸502が第3のウェブ700の第1の縁部703から最も遠くに位置する機械方向(MD)の点に実質上対応するように、前記第1のパターン(P1)と前記第2のパターン(P2)が同期される、ステップと、
-  前記第1のウェブ200の第1の縁部203に隣接して位置する第1のループ保持手段410内に前記第1の弾性糸500の第1のループ501を固定するステップと、
-  前記第3のウェブ700の第1の縁部703に隣接して位置する第2のループ保持手段411内に前記第2の弾性糸502の第2のループ503を固定するステップと
を単一のニップ400内で実質上同時に行うことができる。
【０１５４】
ループ501、503を切断した後、不連続な弾性糸510、511を有する弾性ウェブ140が提供される。この弾性ウェブ140は、巻き取って保管することができ、またはすぐ使用してパンツタイプの物品20もしくは開放型おむつタイプの吸収性物品10を製作することができる。第1のループ保持手段410および第2のループ保持手段411(たとえば、弾性ベルト401、402、403、404の形)を使用して弾性ウェブ140の製作中に弾性糸500、502を保持するという点で、弾性体の無駄な切片は、プロセス中に安全に捕獲および制御することができる。さらに、不連続な弾性糸510、511の張力を制御することができ、弾性糸500、502の切断を精密に実行することができる。
【０１５５】
図7Aは、図7の線VIIA-VIIAに沿って切り取った初期の弾性ウェブ140の拡大横断面図であり、すなわち連続する弾性糸500、502を切断する前の図である。図7Aは、第1のウェブ200、第2のウェブ300、および第3のウェブ700を示す。弾性糸500(前記第1のウェブ200の第1の縁部203から交差方向(CD)に突出する)は、第1の弾性ベルト401と第2の弾性ベルト402の間に固定される。弾性糸502(第3のウェブ700の第1の縁部703から交差方向(CD)に突出する)は、第3の弾性ベルト403と第4の弾性ベルト404の間に固定される。第2のウェブ300は、第1のウェブ200と第3のウェブ700の間に延びるという点で、弾性ベルト401、402、403、404間にも固定される。さらに、図7Aは、弾性糸上の確実な把持を促進する特定のプロファイルを有する弾性ベルト401、402、403、404を示す。
【０１５６】
図7Bは、図7の線VIIB-VIIBに沿って切り取った弾性ウェブ140の拡大横断面図であり、すなわち弾性糸500、502を切断した後の図である。図7Bは、第1のウェブ200、第2のウェブ300、および第1のウェブ200と第2のウェブ300の間に積層された不連続な弾性糸510を示す。同様に、第3のウェブ700と第2のウェブ300の間には、不連続な弾性糸511が積層される。図7Bは、弾性糸510、511の対を示すが、より少ない数またはより大きい数の弾性糸510、511が含まれることも考えられる。具体的には、弾性ウェブ140のうち、パンツタイプの物品20または吸収性物品10の背面部分になる部分内に、より多くの弾性糸を有すると有用である。
【０１５７】
本発明はまた、本明細書に記載の方法によって製作される弾性ウェブ140、ならびに弾性ウェブ140自体を提供する。弾性ウェブ140を図7に示し、図7Bに横断面で示す。弾性ウェブ140は、不連続な弾性糸510、511を有し、
-  機械方向(MD)の主延長部、第1の面201および第2の面202、ならびに第1の縁部203および第2の縁部204を有し、前記第1の縁部203および前記第2の縁部204が機械方向(MD)に延びる、第1のウェブ200と、
-  機械方向(MD)の主延長部、第1の面301および第2の面302、ならびに第1の縁部303および第2の縁部304を有し、前記第1の縁部303および前記第2の縁部304が機械方向(MD)に延びる、第2のウェブ300と、
-  機械方向(MD)の主延長部、第1の面701および第2の面702、ならびに第1の縁部703および第2の縁部704を有し、前記第1の縁部703および前記第2の縁部704が機械方向(MD)に延びる第3のウェブ700とを含む。
【０１５８】
前記第1のウェブ200の第1の面201の少なくとも一部分または前記第2のウェブ300の第1の面301の少なくとも一部分上に、第1の接着剤250が構成される。前記第1のウェブ200の前記第1の面201または前記第2のウェブ300の第1の面301のうち、少なくとも前記第1の接着剤250を含む部分上に、少なくとも1本の不連続な弾性糸510が構成される。
【０１５９】
前記第3のウェブ700の第1の面701の少なくとも一部分または前記第2のウェブ300の第1の面301の少なくとも一部分上に、第2の接着剤260が構成される。前記第3のウェブ700の前記第1の面701または前記第2のウェブ300の第1の面301のうち、少なくとも前記第2の接着剤260を含む部分上に、少なくとも1本の不連続な弾性糸511が構成される。
【０１６０】
第3のウェブ700は、第1のウェブ200および第3のウェブ700それぞれの第1の縁部203、703が隣接するように、前記ウェブ200、700の第1の面201、701が同じ方向を向く隔置された構成で、前記第1のウェブ200に隣接して実質上平行に位置する。
【０１６１】
前記第2のウェブ300の第1の面301は、前記第1のウェブ200の第1の面201上に重なり、前記第1のウェブ200と第2のウェブ300は、前記少なくとも1本の不連続な弾性糸510が前記第1のウェブ200および前記第2のウェブ300それぞれの第1の面201、301間に挟まれるようにともに固定される。
【０１６２】
前記第2のウェブ300の第1の面301はまた、前記第3のウェブ700の第1の面701上に重なり、前記第3のウェブ700と第2のウェブ300は、前記少なくとも1本の不連続な弾性糸511が前記第3のウェブ700および前記第2のウェブ300それぞれの第1の面701、301間に挟まれるようにともに固定される。
【０１６３】
少なくとも1本の不連続な弾性糸510は、第1のパターン(R1)で存在する。パターン(R1)は、上述のパターン(P1)のうち第1のウェブ200上に位置する部分に対応する。したがって第1のパターン(R1)は、第1のウェブ200の第1の縁部203から延びて再び第1のウェブ200の前記第1の縁部203へ戻るループ520を形成し、したがって不連続な弾性糸510は、前記第1のウェブ200の第1の縁部203と交わる各点で終端をなす。
【０１６４】
同様に、少なくとも1本の不連続な糸511は、第2のパターン(R2)で存在し、パターン(R2)は、上記のパターン(P2)のうち第3のウェブ700上に位置する部分に対応する。したがって第2のパターン(R2)は、第3のウェブ700の第1の縁部703から延びて再び第3のウェブ700の前記第1の縁部703へ戻るループ521を形成し、したがって不連続な弾性糸511は、前記第3のウェブ700の第1の縁部703と交わる各点で終端をなす。
【０１６５】
図7に示すように、第1のパターン(R2)と第2のパターン(R2)は、第1の不連続な糸510が第1のウェブ200の第1の縁部203から最も遠くに位置する機械方向(MD)の点が、第2の不連続な糸511が第3のウェブ700の第1の縁部703から最も遠くに位置する機械方向(MD)の点に実質上対応するように同期される。言い換えれば、第1のパターンR1と第2のパターンR2は、同じ反復頻度を有し、機械方向に本質的に同じ場所で分岐する。
【０１６６】
第2の実施形態(図7)による方法により、弾性ウェブ140を形成することができる。具体的には、弾性糸500、502が第1のループ保持手段410と第2のループ保持手段411の間(具体的には、図7に示すように弾性ベルト401、402、403、404間)に固定されるという点で、弾性糸500、502は張力を受け、それによって従来技術の方法では不可能な弾性糸500、502の精密な切断を実施することができる。したがって、不連続な弾性糸510、511は、それぞれ前記第1のウェブ200の第1の縁部203または前記第3のウェブ700の第1の縁部703と交わる各点で終端をなすことができる。
【０１６７】
本発明はまた、第2の実施形態の弾性ウェブ140からパンツタイプの物品20を製造する方法を提供する。この第2の実施形態によるパンツタイプの物品20を製造する方法を図9に示す。
【０１６８】
第1に、図7の方法によって弾性ウェブ140が提供される。弾性ウェブ140は、不連続な弾性糸510、511を有し、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれる。第1の不連続な弾性糸510と第2の不連続な弾性糸511は、上述のように同期される。
【０１６９】
弾性ウェブ140のうち、第1のウェブ200および第3のウェブ700の不連続な弾性糸510、511間に実質上画定された脚部領域122を切除して、脚部開口部121を形成する。弾性ウェブ140を切断して脚部開口部121を形成することは、後述するウェブ140を折り畳むステップの前に行っても、後に行ってもよい。弾性ウェブ140の切断は、第1の実施形態に対して上述したのと同じように行われる。
【０１７０】
図9に示すように、弾性ウェブ140は、弾性ウェブ140の第1の縁部143と第2の縁部144が互いに実質上隣接し、かつ実質上平行に構成されるように、折り目線(F)に沿って折り畳まれる。図9に示すように、弾性ウェブ140は、第2のウェブ300が折り目の外側に位置するように折り畳まれると適切である。しかし、以下の図15および17の議論で明らかになるように、反対の状況も可能である。
【０１７１】
次いで、折り畳んだ弾性ウェブ140は、線(C)に沿って結合される。線(C)は、弾性ウェブ140の第1の縁部143および第2の縁部144から折り目線(F)へ実質上交差方向(CD)に延びる。線(C)は、不連続な弾性糸510、511が折り目線(F)から最も遠くに位置する点に実質上位置する。このようにして、折り畳んだ弾性ウェブ140を結合することで、最終的に、完成したパンツタイプの物品20内にサイドシーム131を形成する。結合してサイドシーム131を形成する詳細については、第1の実施形態に関連して提供した。
【０１７２】
次いで弾性ウェブ140は、弾性ウェブ(140)が切れ目の両側で結合されたままになるように、線(C)に沿って切断される。それによって、個々のパンツタイプの物品(20)が提供される。
【０１７３】
パンツタイプの物品20が吸収性パケット130を含む場合、吸収性パケット130は、第1のウェブ200、第2のウェブ300、および/または第3のウェブ700の少なくとも一部分上に重なるように配置される。次いで吸収性パケット130は、前記第1のウェブ200、第2のウェブ300、および/または第3のウェブ700の少なくとも1つに固定される。吸収性パケット130は、弾性ウェブ140のうち第1のウェブ200および第3のウェブ700を含む面上で、弾性ウェブ140上に配置されることが好ましい。これにより、図16によるパンツタイプの物品20を提供する。別法として、吸収性パケット130は、弾性ウェブ140のうち第2のウェブ300を含む面上で、弾性ウェブ140上に配置される。これにより、図17によるパンツタイプの物品20を提供する。吸収性パケット130の詳細については、上記の第1の実施形態に関連して見られる。吸収性パケット130は、ウェブが折り畳まれる前の任意の時点で弾性ウェブ140に付着される。
【０１７４】
上述の製造プロセス中の任意の時点で、パンツタイプの物品20に追加の材料層を追加することができる。たとえば、着用者の皮膚に面する側では、パンツタイプの物品20に不織物または不織積層物を含む上部シートを追加することができる。着用者の衣服に面する側では、パンツタイプの物品20に液体不浸透性の裏面シートを追加することができる。
【０１７５】
本発明のパンツタイプの物品20は、ウエスト弾性体135、身体弾性体137、および立体ギャザー136などの追加の構成要素を含むことができる。そのような構成要素を付着させるのに適した方法は、当業者には知られている。
【０１７６】
本発明はまた、第2の実施形態の弾性ウェブ140から開放型おむつの形の吸収性物品10を製造する方法を提供する。この方法を図10に示す。この方法は、
-  不連続な弾性糸510、511を有する弾性ウェブ140を提供するステップであり、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれる、ステップと、
-  第1のウェブ200、第2のウェブ300、および/または第3のウェブ700の少なくとも一部分上に重なるように吸収性パケット130を配置し、前記第1のウェブ200、第2のウェブ300、および/または第3のウェブ700の少なくとも1つに前記吸収性パケット130を固定するステップと、
-  弾性ウェブ140のうち、第1のウェブ200および第3のウェブ700の不連続な弾性糸510、511間に実質上画定された脚部領域122を切除して、脚部開口部121を形成するステップと、
-  前記弾性ウェブ140上に締付け手段132を提供するステップと、
-  弾性ウェブ140を線(C)に沿って切断するステップであり、前記線(C)が、弾性ウェブ140の第1の縁部143から第2の縁部144へ実質上交差方向(CD)に延び、前記線(C)が、不連続な弾性糸510、511が第1のウェブ200および第3のウェブ700の第1の縁部203、703から最も遠くに位置する点に実質上位置する、ステップとを含む。
【０１７７】
この方法の個々のステップの詳細は、図9に関連して上述したものと同じである。
【０１７８】
本発明の吸収性物品10は、ウエスト弾性体135、身体弾性体137、および立体ギャザー136などの追加の構成要素を含むことができる。そのような構成要素を付着させるのに適した方法は、当業者には知られている。
【０１７９】
吸収性パケット130を配置するステップ、脚部開口部121を切除するステップ、および弾性ウェブ140を線(C)に沿って切断するステップは、任意の順序で行うことが可能である。しかし、弾性ウェブ140を線(C)に沿って切断するステップは、吸収性パケット130を弾性ウェブ140に固定して脚部開口部121を切除しながら弾性ウェブ140の完全性を維持するように、この一連のステップで最後に行われることが好ましい。
【０１８０】
本発明はまた、図7に示す実施形態による不連続な弾性糸510、511を有する弾性ウェブ100を製造する装置600を提供する。装置600を図8に示す。装置600は、
-  前記第1のウェブ200を供給する第1のウェブ供給手段601と、
-  前記第2のウェブ300を供給する第2のウェブ供給手段602と、
-  前記第3のウェブ700を供給する第3のウェブ供給手段607と、
-  前記少なくとも1本の第1の弾性糸500を供給する第1の弾性糸供給手段610と、
-  前記少なくとも1本の第2の弾性糸502を供給する第2の弾性糸供給手段611と、
-  前記第1の接着剤250を供給する第1の接着剤供給手段612と、
-  前記第2の接着剤260を供給する第2の接着剤供給手段613と、
-  前記第1の弾性糸500および第2の弾性糸502を切断する切断手段605、605’とを備える。
【０１８１】
第1のウェブ供給手段601および第2のウェブ供給手段602は、第1の実施形態の装置に対して上述したとおりである。第3のウェブ供給手段607もまた、第1のウェブ供給手段601および第2のウェブ供給手段602に対して上述したとおりである。第1のウェブ供給手段601および第3のウェブ供給手段607は通常、図8に示すように、第1のウェブ200と第3のウェブ700が平行に進むように構成される。
【０１８２】
第1の接着剤供給手段612は、前記第1のウェブ200の第1の面201の少なくとも一部分または第2のウェブ300の第1の面301の少なくとも一部分に第1の接着剤250を付着させるように構成される。第1の弾性糸供給手段610は、前記第1のウェブ200の前記第1の面201または前記第2のウェブ300の前記第1の面301のうち、少なくとも前記第1の接着剤250を含む部分上に、少なくとも1本の第1の弾性糸500を付着させるように構成される。少なくとも1本の第1の弾性糸500は、パターン(P)で付着され、前記パターン(P)は、交差方向(CD)に振動し、機械方向(MD)に延びる。
【０１８３】
第2の接着剤供給手段613は、第3のウェブ700の第1の面701の少なくとも一部分または第2のウェブ300の第1の面301の少なくとも一部分に第2の接着剤260を付着させるように構成される。第2の弾性糸供給手段611は、前記第3のウェブ700の前記第1の面701または前記第2のウェブ300の前記第1の面301のうち、少なくとも前記第2の接着剤260を含む部分上に、少なくとも1本の第2の弾性糸502を付着させるように構成される。少なくとも1本の第2の弾性糸502は、パターン(P)で付着され、前記パターン(P)は、交差方向(CD)に振動し、機械方向(MD)に延びる。
【０１８４】
第1の接着剤供給手段612および第1の弾性糸供給手段610の詳細については、第1の実施形態の装置に関連して上記で提示した。第2の接着剤供給手段613および第2の弾性糸供給手段611は、それぞれ第1の接着剤供給手段612および第1の弾性糸供給手段610と同じ手段で構成することができる。
【０１８５】
第2のウェブ供給手段602は、図7および8に示すように、第1のウェブ200の第1の面201および第3のウェブ700の第1の面701上に第2のウェブ300の第1の面301を付着させるように構成される。前記少なくとも1本の第1の弾性糸500が第1のウェブ200および第2のウェブ300それぞれの第1の面201、301間に部分的に挟まれ、前記少なくとも1本の第2の弾性糸502が第3のウェブ700および第2のウェブ300それぞれの第1の面701、301間に部分的に挟まれるように、第1のウェブ200と第2のウェブ300はともに固定され、前記第3のウェブ700と前記第2のウェブ300はともに固定される。ウェブ200、300、700をともに固定する方法および手段については、第1の実施形態に関連して上記で提供した。特に、第1のウェブ200および第3のウェブ700上に存在する第1の接着剤250および第2の接着剤260を使用して、これらのウェブを第2のウェブ300に固定することができる。
【０１８６】
パターン(P1)は、第1のウェブ200の第1の縁部203を覆って延び、前記第1のウェブ200の前記第1の縁部203から交差方向CDに突出する前記第1の弾性糸500の第1のループ501を形成するように構成される。同様に、パターン(P2)は、第3のウェブ700の第1の縁部703を覆って延び、前記第3のウェブ700の前記第1の縁部703から交差方向(CD)に突出する前記第2の弾性糸502の第2のループ503を形成するように構成される。
【０１８７】
図7に示すように、第1のパターン(P1)と第2のパターン(P2)は、第1の弾性糸500が第1のウェブ200の第1の縁部203から最も遠くに位置する機械方向(MD)の点が、第2の弾性糸502が第3のウェブ700の第1の縁部703から最も遠くに位置する機械方向(MD)の点に実質上対応するように同期される。
【０１８８】
切断手段605、605’は、第1のループ501が第1のウェブ200から切り離されるように、それぞれの第1の弾性糸500が前記第1のウェブ200の第1の縁部203と交差する点で、また第2のループ503が第3のウェブ700から切り離されるように、それぞれの第2の弾性糸502が前記第3のウェブ700の第1の縁部703と交差する点で、実質上すべての弾性糸500、502を切断するように構成される。断続的な切断手段605、605’の詳細については、図7に関連して上記で提示した。
【０１８９】
装置600は、前記第1のウェブ200の第1の縁部203に隣接して位置する第1のループ保持手段410を備え、第1のループ保持手段410は、前記第1のループ保持手段410内に第1のループ501を固定するように適合される。さらに、装置600は、前記第3のウェブ700の第1の縁部703に隣接して位置する第2のループ保持手段411を備え、第2のループ保持手段411は、前記第2のループ保持手段411内に第2のループ503を固定するように適合される。第1のループ保持手段410および第2のループ保持手段411は、図1〜3に関連して上述した任意のループ保持手段とすることができる。
【０１９０】
図8に示す実施形態では、第1のループ保持手段410は、前記第1のウェブ200の第1の縁部203に隣接して位置する少なくとも1本の第1の弾性ベルト401および少なくとも1本の第2の弾性ベルト402を含み、少なくとも1本の第1の弾性ベルト401および少なくとも1本の第2の弾性ベルト402は、前記少なくとも1本の第1の弾性ベルト401と前記少なくとも1本の第2の弾性ベルト402の間のニップ400内で第1の弾性糸500の第1のループ501を固定するように適合される。同様に、第2のループ保持手段411は、前記第3のウェブ700の第1の縁部703に隣接して位置する少なくとも1本の第3の弾性ベルト403および少なくとも1本の第4の弾性ベルト404を含み、少なくとも1本の第3の弾性ベルト403および少なくとも1本の第4の弾性ベルト404は、前記少なくとも1本の第3の弾性ベルト403と前記少なくとも1本の第4の弾性ベルト404の間のニップ400’内で第2の弾性糸502の第2のループ503を固定するように適合される。第1の弾性ベルト401、第2の弾性ベルト402、第3の弾性ベルト403、および第4の弾性ベルト404の詳細は、第1の実施形態に関連して第1の弾性ベルト401および第2の弾性ベルト403に対して提示したものと同じである。特に、単一の広い弾性ベルトが、第3の弾性ベルト403および第1の弾性ベルト401を構成することができ、単一の広い弾性ベルトが、第4の弾性ベルト404および第2の弾性ベルト402を構成する。
【０１９１】
図8に示す実施形態では、第1のウェブ200、第2のウェブ300、第3のウェブ700、弾性糸500、502、および弾性ベルト401、402、403、404は、単一のニップ400内でともに合わさり、それによって好都合かつ効果的な方法で、これらの構成要素をともに固定する。
【０１９２】
同じく図8に示すように、第1のウェブ供給手段601、第2のウェブ供給手段602、第3のウェブ供給手段607、第1の弾性糸供給手段610、第2の弾性糸供給手段611、第1の接着剤供給手段612、第2の接着剤供給手段613、切断手段605、605’、少なくとも1本の第1の弾性ベルト401、少なくとも1本の第2の弾性ベルト402、少なくとも1本の第3の弾性ベルト403、および少なくとも1本の第4の弾性ベルト404は、単一の中心回転胴620の周辺に構成されると適切である。しかし、これらの構成要素の他の構成も可能である。
【０１９３】
上述の装置600は、パンツタイプの物品20を製造するのに適したものにする追加の構成要素を備えることができる。装置600を、図9に概略的に示す。この場合、装置600は、
-  前記弾性ウェブ140を供給する弾性ウェブ供給手段621と、
-  任意選択で、吸収性パケット130を供給する吸収性パケット供給手段622と、
-  脚部領域122を切除する脚部領域切断手段623と、
-  弾性ウェブ140を折り畳む折畳み手段628と、
-  弾性ウェブ140を結合する結合手段626と、
-  弾性ウェブ140を切断する弾性ウェブ切断手段625とをさらに備える。
【０１９４】
弾性ウェブ供給手段621は、不連続な弾性糸510、511を有する弾性ウェブ140を提供するように構成され、少なくとも1本の第1の不連続な弾性糸510が、第1のウェブ200および第2のウェブ300それぞれの第1の面201、301間に挟まれ、少なくとも1本の第2の不連続な弾性糸511が、第3のウェブ700および第2のウェブ300それぞれの第1の面701、301間に挟まれる。弾性ウェブ供給手段621は、図8に示す装置から直接弾性ウェブ140を送出することができ、別法として別の供給部、たとえばロールから、弾性ウェブ140を送出することもできる。上述の第1のウェブ供給手段601の場合と同様に、弾性ウェブ供給手段621は通常、弾性ウェブ140の供給部(たとえば、ロール)と、前記弾性ウェブ140を機械方向に送出するように適合された手段とを備える。弾性ウェブ供給手段621は、回転胴、ベルト、ロッドなどの任意の適切な組合せを含むことができる。弾性ウェブ供給手段621は、弾性糸510、511から発生しうる弾性ウェブ140の縁部143、144内の力を制御する手段を含むことができる。
【０１９５】
吸収性パケット供給手段622は、第1のウェブ200、第2のウェブ300、および/または第3のウェブ700の少なくとも一部分上に重なるように、吸収性パケット130を配置するように構成される。次いで吸収性パケット130は、前記第1のウェブ200、前記第2のウェブ300、および/または前記第3のウェブ700の少なくとも1つに固定される。吸収性パケット130は、弾性ウェブ140上、好ましくは弾性ウェブ140のうち第1のウェブ200および第3のウェブ700を含む面上に配置される。吸収性パケット130の詳細については、上記の第1の実施形態に関連して見られる。吸収性パケット130は、ウェブが折り畳まれる前の任意の時点で弾性ウェブ140に付着される。
【０１９６】
脚部領域切断手段623は、弾性ウェブ140のうち、第1のウェブ200および第3のウェブ700の不連続な弾性糸510、511間に実質上画定された領域を切除して、脚部開口部121を形成するように構成される。当業者であれば、弾性ウェブ140内の脚部開口部121に適した寸法、位置、および形状を選択することができるであろう。脚部領域切断手段623のさらなる詳細については、上記の第1の実施形態に関連して見ることができる。
【０１９７】
折畳み手段628は、弾性ウェブ140を折り目線(F)に沿って折り畳むように構成される。折り目線(F)は、弾性ウェブ140の機械方向に通る。弾性ウェブ140の第1の縁部143と第2の縁部144は、互いに実質上隣接し、かつ実質上平行に構成される。第2のウェブ300は、折り目の外側に位置することが好ましいが、折り目の内側に位置することもできる。折畳み手段628および折畳みプロセスの詳細については、上記の実施形態に関連して見ることができる。
【０１９８】
結合手段626は、折り畳んだ弾性ウェブ140を線Cに沿って結合するように構成される。線Cは、弾性ウェブ140の第1の縁部143および第2の縁部144から折り目線Fへ実質上交差方向CDに延び、前記線Cは、不連続な弾性糸510、511が折り目線Fから最も遠くに位置する点に実質上位置する。線Cに沿って結合することで、パンツタイプの物品内にサイドシーム131を形成する。結合してサイドシーム131を形成することおよび結合手段の詳細については、第1の実施形態に関連して提供した。
【０１９９】
弾性ウェブ切断手段625は、弾性ウェブ140が切れ目の両側で結合されたままになるように、弾性ウェブ140を線(C)に沿って切断するように構成される。このようにして、個々のパンツタイプの物品20が弾性ウェブ140から分離される。
【０２００】
第1の実施形態に関連して上述したように、本発明のパンツタイプの物品20は、ウエスト弾性体135、身体弾性体137、および立体ギャザー136などの追加の構成要素を含むことができる。そのような構成要素を付着させるのに適した方法は、当業者には知られている。
【０２０１】
本発明はまた、弾性ウェブ140から開放型おむつの形で吸収性物品10を製造する装置を提供する。
【０２０２】
この場合、装置600は、
-  前記弾性ウェブ140を供給する弾性ウェブ供給手段621と、
-  吸収性パケット130を供給する吸収性パケット供給手段622と、
-  脚部領域122を切除する脚部領域切断手段623と、
-  弾性ウェブ140を切断する弾性ウェブ切断手段625と、
-  締付け手段132を供給する締付け供給手段627とをさらに備える。
【０２０３】
これらの構成要素の詳細は、図9に関連して上述したものと同じである。
【０２０４】
前述のように、弾性ウェブ供給手段621は、不連続な弾性糸510、511を有する弾性ウェブ140を提供するように構成され、少なくとも1本の第1の不連続な弾性糸510は、第1のウェブ200および第2のウェブ300それぞれの第1の面201、301間に挟まれ、少なくとも1本の第2の不連続な弾性糸511は、第3のウェブ700および第2のウェブ300それぞれの第1の面701、301間に挟まれる。
【０２０５】
吸収性パケット供給手段622は、第1のウェブ200、第2のウェブ300、および/または第3のウェブ700の少なくとも一部分上に重なるように吸収性パケット130を配置するように、そして前記第1のウェブ200、前記第2のウェブ300、および前記第3のウェブ700の少なくとも1つに前記吸収性パケット130を固定するように構成される。
【０２０６】
脚部領域切断手段623は、弾性ウェブ140のうち、第1のウェブ200および第3のウェブ700の不連続な弾性糸510、511間に実質上画定された領域を切除して、脚部開口部121を形成するように構成される。弾性ウェブ切断手段625は、弾性ウェブ140を線Cに沿って切断するように構成され、前記線(C)は、弾性ウェブ140の第1の縁部143から第2の縁部144へ実質上交差方向(CD)に延び、前記線(C)は、不連続な弾性糸510、511が第1のウェブ200および第3のウェブ700の第1の縁部203、703から最も遠くに位置する点に実質上位置する。締付け供給手段627は、前記弾性ウェブ140上に締付け手段132を提供するように構成される。締付け手段132は、吸収性物品10の外側の面に位置すると適切である。
【０２０７】
締付け手段132の詳細については、第1の実施形態の説明で上記に提供した。
【０２０８】
第1の実施形態に関連して上述したように、本発明のパンツタイプの物品20は、ウエスト弾性体135、身体弾性体137、および立体ギャザー136などの追加の構成要素を含むことができる。そのような構成要素を付着させるのに適した方法は、当業者には知られている。
【０２０９】
本発明はまた、本明細書に記載の方法によって製作される様々なパンツタイプの物品20を提供する。パンツタイプの物品20の実施形態を、図11〜17に示す。図11A〜17Aは、いずれの場合も、図11〜17の斜視図を長手方向の中心線(A-A)に沿って切り取った拡大横断面図である。
【０２１０】
図11〜17に示すそれぞれのパンツタイプの物品20は、前面パネル150および背面パネル160を含む。前面パネルは、物品10のうち、使用時に着用者の鼠径部および/または下腹部の少なくとも一部分を覆う部分である。背面パネルは、物品20のうち、使用時に着用者の臀部および/または背下部の少なくとも一部分を覆う部分である。
【０２１１】
図示のパンツタイプの物品20はまた、前面パネル150と背面パネル160の間でパンツタイプの物品20の長手方向(L)に延びて前記前面パネル150および前記背面パネル160に結合される股部パネル181を含む。股部パネル181は、物品10のうち、使用時に着用者の脚部間に実質上位置する部分である。
【０２１２】
股部パネル181は、股部層180および/または吸収性パケット130を含む。したがって図11〜17のパンツタイプの物品は、股部層180および吸収性パケット130の様々な組合せを含む。股部層180は、物品10のうち、上述した第4のウェブ900から形成される層である。吸収性パケット130は、上述のとおりであり、通常、1つまたは複数のカバー層134によって覆われた吸収性の芯133を含む。
【０２１３】
図11および11Aのパンツタイプの物品20は、股部層180を含むが、吸収性パケットを含まない。股部層180は、前面パネル150および背面パネル160とは別個である。股部層180は、前面パネル150と背面パネル160の間でパンツタイプの物品20の長手方向(L)に延び、前記前面パネル150および前記背面パネル160に結合される。
【０２１４】
図12および12Aのパンツタイプの物品20は、吸収性パケット130を含むが、股部層を含まない。股部層180が存在しない(すなわち、股部パネル181が芯パケット130のみを含む)場合、芯パケット130は、前記前面パネル150と前記背面パネル160の間に延び、前記前面パネル150および前記背面パネル160に結合されなければならない。この場合、吸収性の芯133のうち、着用者の衣服に面するカバー層134は、液体障壁特性を呈すると特に適している。
【０２１５】
図13および13Aのパンツタイプの物品20は、吸収性パケット130および股部層180を含む。股部層180は、前面パネル150と背面パネル160の間でパンツタイプの物品20の長手方向(L)に延び、前面パネル150および背面パネル160に結合される。吸収性パケット130は、図示のように、前面パネル150と背面パネル160の間でパンツタイプの物品20の長手方向(L)に延び、前記前面パネル150および背面パネル160に結合することができる。しかし、吸収性パケット130は、望みに応じて、前記前面パネル150および前記背面パネル160の一方にのみ結合しても、単に股部層180に結合してもよい。図13〜13Aのパンツタイプの物品20内に股部層180が存在することで、機械的強度、好ましい美的特性、および所望の液体障壁特性を物品に加えることができる。
【０２１６】
図11〜17のパンツタイプの物品20の前面パネル150と背面パネル160は、前面パネル150および背面パネル160の横の縁部に位置するサイドシーム131で互いに結合される。
【０２１７】
図11〜17に示し、図11A、12A、13A、14A、15A、16A、および17Aに最もはっきりと示すように、それぞれの実施されるパンツタイプの物品20の少なくとも前面パネル150は、第1の前面層151と、第2の前面層152と、前記第1の前面層151と前記第2の前面層152の間に位置する少なくとも2つの第1の脚部弾性体153とを含む。第1の前面層151は、上述した方法で使用される第1のウェブ200に対応し、したがって第1のウェブ200に適した任意の材料を含むことができる。第2の前面層152は、上述した方法で使用される第2のウェブ300に対応し、したがって第2のウェブ300に適した任意の材料を含むことができる。
【０２１８】
少なくとも2つの第1の脚部弾性体153は、パンツタイプの物品20の長手方向の中心線(L1)の両側に対称に位置する。第1の脚部弾性体153は、脚部開口部121を着用者の脚部に封止するように適合される。第1の脚部弾性体153は、上述した方法で不連続な弾性糸510に対応し、したがってそのような糸に適した任意の材料を含むことができる。少なくとも2つの第1の脚部弾性体153は、パンツタイプの物品20の長手方向の中心線(L1)の両側に位置する。
【０２１９】
第1の前面層151は、実質上パンツタイプの物品20の横方向(T)に延びる第1の縁部154および第2の縁部155によって画定される。第1の前面層151のこれらの第1の縁部154および第2の縁部155は、本発明の方法で使用される第1のウェブ200の第1の縁部203および第2の縁部204に対応する。第1の縁部154は、パンツタイプの物品20の股部パネル181の最も近くに位置する縁部である。
【０２２０】
図11〜17のパンツタイプの物品20の背面パネル160はまた、第1の背面層161と、第2の背面層162と、前記第1の背面層161と前記第2の背面層162の間に位置する少なくとも2つの第2の脚部弾性体163とを含む。少なくとも2つの第2の脚部弾性体163は、パンツタイプの物品20の長手方向の中心線(L1)の両側に位置する。
【０２２１】
図11〜17は、弾性糸153、163の対を有するパンツタイプの物品20を示すが、より少ない数またはより大きい数の弾性糸153、163が含まれることも考えられる。具体的には、背面パネル160内により多くの弾性糸163を有することが有用である。
【０２２２】
第1の背面層161は、実質上パンツタイプの物品20の横方向(T)に延びる第1の縁部164および第2の縁部165によって画定される。第1の縁部164は、パンツタイプの物品20の股部パネル181の最も近くに位置する縁部である。
【０２２３】
前面パネル150内の第1の脚部弾性体153が、前記第1の前面層151の第1の縁部154と交わる点で終端をなすこと、そして前記背面パネル160内の第2の脚部弾性体163が、前記第1の背面層161の第1の縁部164と交わる点で終端をなすことは、図11〜17のすべてのパンツタイプの物品20に共通している。通常、脚部弾性体153、163は、第1の前面層151または第1の背面層161の第1の縁部154、164から、物品20のサイドシーム131の方へ延びる。脚部弾性体153、163は通常、湾曲している。
【０２２４】
脚部弾性体153、163は、吸収性パケット130と一切重複しないと適切である。したがって、少なくとも2つの第1の脚部弾性体153および前記少なくとも2つの第2の脚部弾性体163は、横方向(T)でパンツタイプの物品20の吸収性パケット130の両側に位置することが好ましい。
【０２２５】
図14〜17のパンツタイプの物品は、本発明の第2の方法を介して作製され、第1のウェブ200および第3のウェブ700が第2のウェブ300に積層されることを除いて、図11〜13のものに類似している。したがって、これらの場合、単一の第2の層170が、第2の前面層152、第2の背面層162、および股部層180を構成する。図14および14Aは、単一の第2の層170が吸収性パケット130を含まず、製品の外側の方へ位置する、パンツタイプの物品20を示す。図15および15Aは、単一の第2の層170が吸収性パケット130を含まず、製品の内側の方へ位置する、パンツタイプの物品20を示す。図14の物品が作製されるか、それとも図15の物品が作製されるかは、製造中に弾性ウェブ140がどのように折り畳まれるかに依存する。
【０２２６】
図16および16Aは、単一の第2の層170をもち、吸収性パケット130を含み、単一の第2の層170が製品の外側の方へ位置する、パンツタイプの物品20を示す。図17および17Aは、単一の第2の層170をもち、吸収性パケット130を含み、単一の第2の層170が製品の内側の方へ位置する、パンツタイプの物品20を示す。図16の物品が作製されるか、それとも図17の物品が作製されるかは、製造中に吸収性パケット130が弾性ウェブ140にどのように付着されるかに依存する。
【０２２７】
本発明のパンツタイプの物品20は、ウエスト弾性体135、身体弾性体137、および立体ギャザー136などの追加の構成要素を含むことができる。
【０２２８】
図18〜21は、開放型おむつの形の吸収性物品10を示す。図18A〜21Aは、それぞれ図18〜21の長手方向の中心線(A-A)に沿って切り取った横断面図である。
【０２２９】
図18、19、および18A、19Aに示す吸収性物品10は、図6に関連して記載の方法によって形成され、図示のように、長手方向(L)および横方向(T)に延びる。
【０２３０】
図18〜19に示すそれぞれの吸収性物品10は、前面パネル150および背面パネル160、ならびに吸収性パケット130を含む。各物品はまた、股部パネル181を含む。股部パネル181は、前面パネル150と背面パネル160の間で吸収性物品10の長手方向(L)に延び、前面パネル150および背面パネル160に結合される。股部パネル181は、吸収性パケット130と、任意選択で股部層180とを含む。
【０２３１】
図18および18Aの吸収性物品10は、股部層180と芯パケット130の両方を含む。図18および18Aの吸収性物品10内に股部層180が存在することで、機械的強度、好ましい美的特性、および所望の液体障壁特性を物品に加えることができる。
【０２３２】
少なくとも股部層180は、前記前面パネル150と前記背面パネル160の間で吸収性物品10の長手方向(L)に延び、前記前面パネル150および前記背面パネル160に結合されると適切である。吸収性パケット130は、望みに応じて、前記前面パネル150および背面パネル160の一方にのみ結合しても、単に股部層180に結合してもよい。しかし、股部層180が存在しない場合、芯パケットは、前記前面パネル150と前記背面パネル160の間に延び、前記前面パネル150および前記背面パネル160に結合されなければならない。
【０２３３】
図19および19Aの吸収性物品10は、股部層180を含まないが、代わりに前面パネル150および背面パネル160は、芯パケット130のみを介して架橋される。この場合、吸収性の芯133のうち、着用者の衣服に面するカバー層134は、液体障壁特性を呈すると適している。
【０２３４】
前記前面パネル150および前記背面パネル160の少なくとも1つは、締付け手段132を含む。適切な締付け手段132、ならびにその付着手段および方法については、上記で論じた。
【０２３５】
少なくとも前面パネル150は、第1の前面層151と、第2の前面層152と、前記第1の前面層151と前記第2の前面層152の間に位置する少なくとも2つの第1の脚部弾性体153とを含む。少なくとも2つの第1の脚部弾性体153は、吸収性物品10の長手方向の中心線L1の両側に位置する。
【０２３６】
第1の前面層151は、実質上吸収性物品10の横方向Tに延びる第1の縁部154および第2の縁部155によって画定される。第1の縁部154は、吸収性物品10の股部パネル181の最も近くに位置する縁部である。
【０２３７】
背面パネル160はまた、第1の背面層161と、第2の背面層162と、前記第1の背面層161と第2の背面層162の間に位置する少なくとも2つの第2の脚部弾性体163とを含む。少なくとも2つの第2の脚部弾性体163は、吸収性物品10の長手方向の中心線L1の両側に位置する。
【０２３８】
図18〜21は、弾性糸153、163の対を有する吸収性物品10を示すが、より少ない数またはより大きい数の弾性糸153、163が含まれることも考えられる。具体的には、背面パネル160内により多くの弾性糸163を有することが有用である。
【０２３９】
第1の背面層161は、実質上吸収性物品10の横方向Tに延びる第1の縁部164および第2の縁部165によって画定される。第1の縁部164は、吸収性物品10の股部パネル181の最も近くに位置する縁部である。
【０２４０】
層151、152、161、162、吸収性パケット130、および弾性体153、163に適した材料については、本発明のパンツタイプの物品20に対して上記で提供した。
【０２４１】
図18〜21に示すように、前面パネル150内の第1の脚部弾性体153は、前記第1の前面層151の第1の縁部154と交わる点で終端をなし、背面パネル160内の第2の脚部弾性体163は、第1の背面層161の第1の縁部164と交わる点で終端をなす。
【０２４２】
脚部弾性体153、163は、吸収性パケット130と一切重複しないと適切である。したがって、少なくとも2つの第1の脚部弾性体153および前記少なくとも2つの第2の脚部弾性体163は、横方向(T)で吸収性物品10の吸収性パケット130の両側に位置することが好ましい。
【０２４３】
図20、21、2OA、および21Aの吸収性物品10は、本発明の第2の方法を介して作製され、第1のウェブ200および第3のウェブ700が第2のウェブ300に積層されることを除いて、図18〜19のものに類似している。したがって、これらの場合、単一の第2の層170が、第2の前面層152、第2の背面層162、および股部層180を構成する。
【０２４４】
図20は、製造中に吸収性パケット130が第1のウェブ200および第3のウェブ700上に位置する吸収性物品10を示す。したがって、第2のウェブ300(すなわち、単一の第2の層170)は、吸収性物品のうち、吸収性パケット130とは反対側の面に位置する。この構成により、吸収性物品10には、単一の第2の層170/第2のウェブ300から構成される連続する外側の面が提供される。
【０２４５】
図21は、製造中に吸収性パケット130が第2のウェブ300上に位置する吸収性物品10を示す。したがって、第2のウェブ300(すなわち、単一の第2の層170)は、吸収性物品10のうち、吸収性パケット130と同じ面に位置する。
【０２４６】
図20Aは、図20の線XXA-XXAに沿って切り取った拡大横断面図であり、すなわち吸収性物品10をその長さに沿って切り取った図である。図21Aは、図21の線XXIA-XXIAに沿って切り取った拡大横断面図であり、すなわち吸収性物品10をその長さに沿って切り取った図である。
【０２４７】
本発明の吸収性物品10は、ウエスト弾性体135、身体弾性体137、および立体ギャザー136などの追加の構成要素を含むことができる。
【０２４８】
本発明について、複数の実施形態を参照して説明した。しかし、本発明の範囲は、図示および記載の実施形態に限定されると解釈されるべきではない。逆に、特許請求の範囲の範囲内に残ったまま、特定の実施形態からの特徴を他の実施形態からの特徴と自在に組み合わせることができる。本発明の範囲は、添付の特許請求の範囲によって決定されるべきである。
【符号の説明】
【０２４９】
10  吸収性物品
20  パンツタイプの物品
100  弾性ウェブ
103  第1の縁部
104  第2の縁部
121  脚部開口部
122  脚部領域
130  吸収性パケット
131  サイドシーム
132  締付け手段
133  吸収性の芯
134  カバー層
135  ウエスト弾性体
136  立体ギャザー
137  身体弾性体
140  弾性ウェブ
143  第1の縁部
144  第2の縁部
150  前面パネル
151  第1の前面層
152  第2の前面層
153  第1の脚部弾性体
154  第1の縁部
155  第2の縁部
160  背面パネル
161  第1の背面層
162  第2の背面層
163  第2の脚部弾性体
164  第1の縁部
165  第2の縁部
170  第2の層
180  股部層
181  股部パネル
200  第1のウェブ
201  第1の面
202  第2の面
203  第1の縁部
204  第2の縁部
250  第1の接着剤
260  第2の接着剤
300  第2のウェブ
301  第1の面
302  第2の面
303  第1の縁部
304  第2の縁部
400  ニップ
400’  ニップ
401  第1の弾性ベルト
402  第2の弾性ベルト
403  第3の弾性ベルト
404  第4の弾性ベルト
410  ループ保持手段
500  少なくとも1本の弾性糸、第1の弾性糸
501  第1のループ
502  第2の弾性糸
503  第2のループ
510  不連続な弾性糸
511  不連続な弾性糸
520  ループ
521  ループ
600  装置
601  第1のウェブ供給手段
602  第2のウェブ供給手段
603  弾性糸供給手段
604  接着剤供給手段
605  弾性体切断手段
605’  切断手段
607  第3のウェブ供給手段
608  脚部領域切断手段
609  弾性ウェブ切断手段
610  第1の弾性糸供給手段
611  第2の弾性糸供給手段
612  第1の接着剤供給手段
613  第2の接着剤供給手段
614  結合手段
617  折畳み手段
620  中心回転胴
621  弾性ウェブ供給手段
622  吸収性パケット供給手段
623  脚部領域切断手段
625  弾性ウェブ切断手段
626  結合手段
628  折畳み手段
630  真空手段
700  第3のウェブ
701  第1の面
702  第2の面
703  第1の縁部
704  第2の縁部
900  第4のウェブ
C  線
CD  交差方向
F  折り目線
MD  機械方向
P  パターン
P1  第1のパターン
P2  第2のパターン
R  パターン
R1  第1のパターン
R2  第2のパターン
【図１】
0005409897.tif 000002
【図２】
0005409897.tif 000003
【図３】
0005409897.tif 000004
【図３Ａ】
0005409897.tif 000005
【図３Ｂ】
0005409897.tif 000006
【図４】
0005409897.tif 000007
【図５】
0005409897.tif 000008
【図６】
0005409897.tif 000009
【図７】
0005409897.tif 000010
【図７Ａ】
0005409897.tif 000011
【図７Ｂ】
0005409897.tif 000012
【図８】
0005409897.tif 000013
【図９】
0005409897.tif 000014
【図１０】
0005409897.tif 000015
【図１１】
0005409897.tif 000016
【図１１Ａ】
0005409897.tif 000017
【図１２】
0005409897.tif 000018
【図１２Ａ】
0005409897.tif 000019
【図１３】
0005409897.tif 000020
【図１３Ａ】
0005409897.tif 000021
【図１４】
0005409897.tif 000022
【図１４Ａ】
0005409897.tif 000023
【図１５】
0005409897.tif 000024
【図１５Ａ】
0005409897.tif 000025
【図１６】
0005409897.tif 000026
【図１６Ａ】
0005409897.tif 000027
【図１７】
0005409897.tif 000028
【図１７Ａ】
0005409897.tif 000029
【図１８】
0005409897.tif 000030
【図１８Ａ】
0005409897.tif 000031
【図１９】
0005409897.tif 000032
【図１９Ａ】
0005409897.tif 000033
【図２０】
0005409897.tif 000034
【図２０Ａ】
0005409897.tif 000035
【図２１】
0005409897.tif 000036
【図２１Ａ】
0005409897.tif 000037